(57)【特許請求の範囲】
【請求項１】
端末装置から認証情報を取得したことを条件として提供情報を端末装置に対して提供するための情報提供システムであって、
前記認証情報である第１認証情報と、前記第１認証情報とは異なる前記認証情報である第２認証情報とを取得する取得手段を備え、
前記第１認証情報は、第１対応情報を提供することを可能にする情報であり、前記第１対応情報は、単独で人にとって意味をなす情報であると共に前記第１認証情報と対応する情報であり、
前記第２認証情報は、第２対応情報を提供することを可能にする情報であり、前記第２対応情報は、前記提供情報又は前記第１対応情報に関する処理を行うために必要な情報ではなく、単独で人にとって意味をなす情報であると共に前記第２認証情報と対応する情報であり、
当該情報提供システムは、
前記取得手段によって前記第１認証情報と前記第２認証情報とが同時に取得されたことを条件の少なくとも一部として、前記提供情報又は前記第１対応情報に関する処理を行う、
情報提供システム。
【請求項２】
前記取得手段によって前記第１認証情報と前記第２認証情報とが同時に取得されたことを条件の少なくとも一部として、少なくとも前記第２対応情報の編集を前記端末装置を介して行うことを可能にする編集手段を備える、
請求項１に記載の情報提供システム。
【請求項３】
前記編集手段は、前記取得手段によって前記第１認証情報及び前記第２認証情報が所定タイミング、所定順序、又は所定回数で取得されたか否かを条件の少なくとも一部として、少なくとも前記第２対応情報の編集を行うことを可能にする、
請求項２に記載の情報提供システム。
【請求項４】
前記第１認証情報は、動物又は物体から取得可能な情報である、
請求項１から３のいずれか一項に記載の情報提供システム。
【請求項５】
前記取得手段によって前記第１認証情報と、前記第１認証情報及び前記第２認証情報とは異なる前記認証情報である第３認証情報とが取得されたことを条件の少なくとも一部として、前記提供情報を前記端末装置に対して提供する提供手段を備える、
請求項１から４のいずれか一項に記載の情報提供システム。
【請求項６】
前記提供手段は、前記取得手段によって前記第１認証情報及び前記第３認証情報が所定タイミング、所定順序、又は所定回数で取得されたか否かを条件の少なくとも一部として、前記提供情報を提供する、
請求項５に記載の情報提供システム。
【請求項７】
前記第１対応情報は、前記第３認証情報の保有先を示す保有先情報を含み、
前記提供手段は、前記取得手段によって前記第１認証情報のみが取得されたことを条件の少なくとも一部として、前記保有先情報を前記端末装置に対して提供する、
請求項５又は６に記載の情報提供システム。
【請求項８】
前記認証情報は、ＱＲコード情報又はバーコード情報を含む、
請求項１から７のいずれか一項に記載の情報提供システム。
【請求項９】
端末装置から認証情報を取得したことを条件として提供情報を端末装置に対して提供するための情報提供システムに実行させるための情報提供プログラムであって、
コンピュータを、
前記認証情報である第１認証情報と、前記第１認証情報とは異なる前記認証情報である第２認証情報とを取得する取得手段として機能させ、
前記第１認証情報は、第１対応情報を提供することを可能にする情報であり、前記第１対応情報は、単独で人にとって意味をなす情報であると共に前記第１認証情報と対応する情報であり、
前記第２認証情報は、第２対応情報を提供することを可能にする情報であり、前記第２対応情報は、前記提供情報又は前記第１対応情報に関する処理を行うために必要な情報ではなく、単独で人にとって意味をなす情報であると共に前記第２認証情報と対応する情報であり、
前記情報提供システムは、前記取得手段によって前記第１認証情報と前記第２認証情報とが同時に取得されたことを条件の少なくとも一部として、前記提供情報又は前記第１対応情報に関する処理を行う、
情報提供プログラム。
【発明の詳細な説明】
【技術分野】
【０００１】
本発明は、情報提供システム、及び情報提供プログラムに関する。
【背景技術】
【０００２】
従来、認証情報を用いて各種の情報を提供する技術が提案されている。このような技術においては、利用者の所持するＩＣカードを用いてサービスエリアへの利用者の入退出を管理するエリア装置を備えたシステムが開示されている（例えば、特許文献１参照）。このシステムのエリア装置は、利用者の入場時にＩＣカードから取得された認証情報に基づき、正当な利用者か否かを識別する認証手段と、認証手段により、正当な利用者であると認証された場合、サービスエリアで提供されるサービスに関する情報をＩＣカードに送信する利用情報提供手段と、利用者の退出時にＩＣカードから送信される認証情報に基づき、正当な利用者か否かを識別する認証手段と、認証手段により、正当な利用者であると認証された場合、送信したサービスに関するサービス情報をＩＣカードから消去するための消去データを送信する利用情報消去手段と、を備えている。
【先行技術文献】
【特許文献】
【０００３】
【特許文献１】特開２００８−２３４４０８号公報
【発明の概要】
【発明が解決しようとする課題】
【０００４】
しかしながら、上記従来のシステムにおいては、ＩＣカードからサービス情報を消去する際にＩＣカードから送信される１つの認証情報のみに基づいて正当な利用者か否かを識別するに過ぎなかったので、例えば上記認証情報が第三者に不正に取得された場合にはＩＣカードからサービス情報を容易に不正消去されてしまうおそれがあることから、システムのセキュリティを高める観点からは、改善の余地があった。また、上記認証情報は、様々な用途に利用したいというニーズがあるが、上記従来のシステムにおいては、正当な利用者か否かを識別するためだけに用いられるものに過ぎないことから、上記認証情報の使用性を高める観点からも、改善の余地があった。
【０００５】
本発明は、上記に鑑みてなされたものであって、セキュリティを高めると共に、認証情報の使用性を高めることが可能となる、情報提供システム、及び情報提供プログラムを提供することを目的とする。
【課題を解決するための手段】
【０００６】
上述した課題を解決し、目的を達成するために、端末装置から認証情報を取得したことを条件として提供情報を端末装置に対して提供するための情報提供システムであって、前記認証情報である第１認証情報と、前記第１認証情報とは異なる前記認証情報である第２認証情報とを取得する取得手段を備え、前記第１認証情報は、第１対応情報を提供することを可能にする情報であり、前記第１対応情報は、単独で人にとって意味をなす情報であると共に前記第１認証情報と対応する情報であり、前記第２認証情報は、第２対応情報を提供することを可能にする情報であり、前記第２対応情報は、前記提供情報又は前記第１対応情報に関する処理を行うために必要な情報ではなく、単独で人にとって意味をなす情報であると共に前記第２認証情報と対応する情報であり、当該情報提供システムは、前記取得手段によって前記第１認証情報と前記第２認証情報とが同時に取得されたことを条件の少なくとも一部として、前記提供情報又は前記第１対応情報に関する処理を行う。
【０００７】
請求項２に記載の情報提供システムは、請求項１に記載の情報提供システムにおいて、前記取得手段によって前記第１認証情報と前記第２認証情報とが同時に取得されたことを条件の少なくとも一部として、少なくとも前記第２対応情報の編集を前記端末装置を介して行うことを可能にする編集手段を備える。
【０００８】
請求項３に記載の情報提供システムは、請求項２に記載の情報提供システムにおいて、  前記編集手段は、前記取得手段によって前記第１認証情報及び前記第２認証情報が所定タイミング、所定順序、又は所定回数で取得されたか否かを条件の少なくとも一部として、少なくとも前記第２対応情報の編集を行うことを可能にする。
【０００９】
請求項５に記載の情報提供システムは、請求項１から４のいずれか一項に記載の情報提供システムにおいて、前記取得手段によって前記第１認証情報と、前記第１認証情報及び前記第２認証情報とは異なる前記認証情報である第３認証情報とが取得されたことを条件の少なくとも一部として、前記提供情報を前記端末装置に対して提供する提供手段を備える。
【００１０】
請求項６に記載の情報提供システムは、請求項５に記載の情報提供システムにおいて、前記提供手段は、前記取得手段によって前記第１認証情報及び前記第３認証情報が所定タイミング、所定順序、又は所定回数で取得されたか否かを条件の少なくとも一部として、前記提供情報を提供する。
【００１１】
請求項７に記載の情報提供システムは、請求項５又は６に記載の情報提供システムにおいて、前記第１対応情報は、前記第３認証情報の保有先を示す保有先情報を含み、前記提供手段は、前記取得手段によって前記第１認証情報のみが取得されたことを条件の少なくとも一部として、前記保有先情報を前記端末装置に対して提供する。
【００１２】
請求項８に記載の情報提供システムは、請求項１から７のいずれか一項に記載の情報提供システムにおいて、前記認証情報は、ＱＲコード情報又はバーコード情報を含む。
【００１３】
請求項９に記載の情報提供プログラムは、端末装置から認証情報を取得したことを条件として提供情報を端末装置に対して提供するための情報提供システムに実行させるための情報提供プログラムであって、コンピュータを、前記認証情報である第１認証情報と、前記第１認証情報とは異なる前記認証情報である第２認証情報とを取得する取得手段として機能させ、前記第１認証情報は、第１対応情報を提供することを可能にする情報であり、前記第１対応情報は、単独で人にとって意味をなす情報であると共に前記第１認証情報と対応する情報であり、前記第２認証情報は、第２対応情報を提供することを可能にする情報であり、前記第２対応情報は、前記提供情報又は前記第１対応情報に関する処理を行うために必要な情報ではなく、単独で人にとって意味をなす情報であると共に前記第２認証情報と対応する情報であり、前記情報提供システムは、前記取得手段によって前記第１認証情報と前記第２認証情報とが同時に取得されたことを条件の少なくとも一部として、前記提供情報又は前記第１対応情報に関する処理を行う。
【発明の効果】
【００１４】
請求項２に記載の情報提供システムによれば、取得手段によって第１認証情報と第２認証情報とが取得されたことを条件の少なくとも一部として、提供情報又は第１対応情報の少なくともいずれか一方の編集を端末装置を介して行うことを可能にする編集手段を備えるので、第１認証情報及び第２認証情報が取得されたことを条件の少なくとも一部として、提供情報又は第１対応情報の編集を行うことができる。よって、提供情報又は第１対応情報が不正に編集されることを回避でき、当該編集を行う際のセキュリティを高めることが可能となる。また、第１認証情報が、単独で人にとって意味をなす第１対応情報を提供することを可能にする情報であるので、上記編集を行う際の認証に用いられること以外の様々な用途に利用することができる。例えば、第１対応情報が第１認証情報以外の他の認証情報の取得又は提供情報の提供を受けることを容易にする情報として機能する場合には、当該他の認証情報の取得又は提供情報の提供を受けることを効率的に行うことが可能となる。よって、従来の認証情報に比べて、第１認証情報の使用性を高めることができる。
【００１５】
請求項３に記載の情報提供システムによれば、編集手段が、取得手段によって第１認証情報及び第２認証情報が所定タイミング、所定順序、又は所定回数で取得されたか否かを条件の少なくとも一部として、提供情報又は第１対応情報の少なくともいずれか一方の編集を行うことを可能にするので、当該編集を行う際のセキュリティを高めやすくなるため、情報提供システムの信頼性を高めることができる。
【００１６】
請求項４に記載の情報提供システムによれば、第１認証情報が、動物又は物体から取得可能な情報であるので、例えば、動物又は物体と関連する第１認証情報を簡易に取得でき、第１認証情報の取り扱いが容易となる。
【００１７】
請求項５に記載の情報提供システムによれば、取得手段によって第１認証情報と、第３認証情報とが取得されたことを条件の少なくとも一部として、提供情報を端末装置に対して提供する提供手段を備えるので、第１認証情報及び第３認証情報が取得されたことを条件の少なくとも一部として、提供情報を提供することができる。よって、提供情報が不正に提供されることを回避でき、当該提供を行う際のセキュリティを高めることができる。
【００１８】
請求項６に記載の情報提供システムによれば、提供手段が、取得手段によって第１認証情報及び第３認証情報が所定タイミング、所定順序、又は所定回数で取得されたか否かを条件の少なくとも一部として、提供情報を提供するので、当該提供を行う際のセキュリティを高めやすくなるため、情報提供システムの信頼性を一層高めることができる。
【００１９】
請求項７に記載の情報提供システムによれば、提供手段は、取得手段によって第１認証情報のみが取得されたことを条件の少なくとも一部として、保有先情報を端末装置に対して提供するので、ユーザが保有先情報を簡易に入手することが可能になる。また、例えば、第１対応情報である保有先情報に連絡するという手順を経た後に提供情報が提供される場合には、提供情報が不用意に端末装置等に提供されることを回避できる。
【００２０】
請求項８に記載の情報提供システムによれば、認証情報が、ＱＲコード情報又はバーコード情報を含むので、認証情報の取り扱いが容易となるため、情報提供システムの使用性を高めることができる。
【図面の簡単な説明】
【００２１】
【図１】本発明の実施の形態１に係る情報処理システムを概念的に示す図である。
【図２】情報提供装置の電気的構成を示したブロック図である。
【図３】実施の形態１に係る情報提供処理のフローチャートである。
【図４】情報提供処理を概念的に示す図であり、（ａ）は対応情報を提供する図であり、（ｂ）は対応情報を編集する図であり、（ｃ）は提供情報を提供する図である。
【図５】実施の形態２に係る情報処理システムを概念的に示す図である。
【図６】実施の形態２に係る情報提供処理のフローチャートである。
【図７】情報提供処理を概念的に示す図であり、（ａ）は対応情報を提供する図であり、（ｂ）は提供情報を編集する図であり、（ｃ）は提供情報を提供する図である。
【図８】実施の形態３に係る情報処理システムを概念的に示す図である。
【図９】第２端末装置の電気的構成を示したブロック図である。
【図１０】情報提供装置の電気的構成を示したブロック図である。
【図１１】実施の形態３に係る第１端末装置に関する制御処理のフローチャートである。
【図１２】実施の形態３に係る第２端末装置に関する制御処理のフローチャートである。
【図１３】実施の形態４に係る情報処理システムを概念的に示す図である。
【図１４】情報提供装置の電気的構成を示したブロック図である。
【図１５】実施の形態４に係る情報提供処理のフローチャートである。
【図１６】実施の形態５に係る情報処理システムを概念的に示す図である。
【図１７】情報提供装置の電気的構成を示したブロック図である。
【図１８】実施の形態５に係る情報提供装置に関する制御処理のフローチャートである。
【図１９】実施の形態５に係る第１端末装置に関する制御処理のフローチャートである。
【図２０】実施の形態６に係る情報処理システムを概念的に示す図である。
【図２１】情報提供装置の電気的構成を示したブロック図である。
【図２２】実施の形態６に係る情報提供装置に関する制御処理のフローチャートである。
【図２３】実施の形態６に係る第１端末装置に関する制御処理のフローチャートである。
【図２４】実施の形態７に係る情報処理システムを概念的に示す図である。
【図２５】情報提供装置の電気的構成を示したブロック図である。
【図２６】実施の形態７に係る情報提供装置に関する制御処理のフローチャートである。
【図２７】実施の形態７に係る第１端末装置に関する制御処理のフローチャートである。
【図２８】実施の形態８に係る情報処理システムを概念的に示す図である。
【図２９】情報提供装置の電気的構成を示したブロック図である。
【図３０】実施の形態８に係る情報提供処理のフローチャートである。
【図３１】実施の形態９に係る情報処理システムを概念的に示す図である。
【図３２】情報提供装置の電気的構成を示したブロック図である。
【図３３】実施の形態９に係る情報提供装置に関する制御処理のフローチャートである。
【図３４】実施の形態９に係る第１端末装置に関する制御処理のフローチャートである。
【図３５】実施の形態１０に係る情報処理システムを概念的に示す図である。
【図３６】情報提供装置の電気的構成を示したブロック図である。
【図３７】実施の形態１０に係る情報提供処理のフローチャートである。
【発明を実施するための形態】
【００２２】
以下に添付図面を参照して、この発明に係る情報提供システム、及び情報提供プログラムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２３】
〔Ｉ〕実施の形態の基本的概念
まず、実施の形態の基本的概念について説明する。実施の形態は、概略的に、端末装置から認証情報を取得したことを条件として提供情報を端末装置に対して提供するための情報提供システムに関するものである。
【００２４】
ここで、「端末装置」とは、ユーザによって所持又は管理されている装置であり、例えば、携帯端末（一例として、スマートフォン、タブレット端末、ウェアラブル端末）、据え置き型のパーソナルコンピュータ、据え置き型の各種の設備（一例として、電気式の宅配ボックス）、ドローン、ドアフォン、出力端末、リーダ端末等を含む概念である。また、「認証情報」とは、ユーザを認証するための情報であり、その表示形態や出力形態は任意であるが、例えば、ＱＲコード情報（登録商標）、バーコード情報（一例として、通常のバーコード、二次元バーコード、３次元バーコード等）、携帯端末の固有のＩＤ情報（一例として、MACアドレス、IMEI(International Mobile Equioment Identity、国際移動体装置識別番号)、MEID(Mobile Equipment Identifier)、ICCID(IC Card Identifier)、IMSI(International Mobile Subscriber Identity)、UDID(Unique Device Identifier)、IDFV(Identifier For Vender)、IDFA(Identification For Advertisers)、Android_ID、AdvertisingID）、ＲＦＩＤ、人自体又は物自体に固有な情報（一例として、絵画を示す情報、写真を示す情報、人の顔又は指紋、静脈、汗腺、汗孔、虹彩、音声（声紋）等を示す情報）等を含む概念である。「提供情報」とは、ユーザに対して提供される各種のサービスを示す情報である。また、「情報提供システム」とは、基地局等に設けられたシステムであり、例えば、据え置き型のサーバ、携帯端末等を含む概念である。この端末装置には、情報を読み取って認証情報に変換する公知の機能が設けられている。この機能は、情報提供システムに設けてもよい。
【００２５】
〔ＩＩ〕実施の形態の具体的内容
次に、実施の形態の具体的内容について説明する。
【００２６】
〔実施の形態１〕
まず、実施の形態１に係る情報提供システムについて説明する。この実施の形態１は、提供情報が後述の商品割引情報であり、情報提供システムが、第１認証情報及び第２認証情報が取得されたことを条件の少なくとも一部として、対応情報の編集を行う形態である。
【００２７】
（構成）
まず、実施の形態１に係る情報提供システムが適用される情報処理システムの構成について説明する。図１は、本発明の実施の形態１に係る情報処理システムを概念的に示す図である。図１に示すように、情報処理システム１は、複数の第１端末装置１０と、第２端末装置２０と、情報提供装置３０とを備えており、これら複数の第１端末装置１０及び第２端末装置２０の各々と、情報提供装置３０とはネットワーク２を介して相互に通信可能に接続されている。なお、複数の第１端末装置１０は、それぞれ相互に同様に構成することができるため、以下では、１つの第１端末装置１０の構成について説明するものとし、他の第１端末装置１０の構成についてはその説明を省略する。
【００２８】
（構成−第１端末装置）
次に、第１端末装置１０の構成について説明する。第１端末装置１０は、第１ユーザ（実施の形態１では、コンビニエンスストアの顧客）によって所持されている端末装置であり、通信部、タッチパッド、ディスプレイ、スピーカ、撮像部、制御部、及びデータ記録部を備えている（いずれも図示省略）。なお、この第１端末装置１０は、例えば公知の携帯端末等を用いて構成することができるので、その詳細な説明は省略する。
【００２９】
（構成−第１端末装置−通信部）
通信部は、情報提供装置３０との相互間で通信を行うための通信手段であり、例えば、有線通信網や移動体無線通信網を用いて通信を行う公知の通信手段を用いて構成されている（なお、後述する第２端末装置２０の通信部、及び後述する情報提供装置３０の通信部３１についても同様とする）。
【００３０】
（構成−第１端末装置−タッチパッド）
タッチパッドは、第１ユーザの指等で押圧されることにより、当該第１ユーザから各種操作入力を受け付ける操作手段である。このタッチパッドの具体的な構成は任意であるが、例えば、抵抗膜方式や静電容量方式等による操作位置検出手段を備えた公知のものを用いることができる（なお、後述する第２端末装置２０のタッチパッドについても同様とする）。
【００３１】
（構成−第１端末装置−ディスプレイ）
ディスプレイは、第１端末装置１０に関する各種情報を表示する表示手段である。このディスプレイの具体的な構成は任意であるが、例えば、公知の液晶ディスプレイや有機ＥＬディスプレイの如きフラットパネルディスプレイ等を用いることができる（なお、後述する第２端末装置２０のディスプレイについても同様とする）。なお、上記のタッチパッドと当該ディスプレイをタッチパッドとして一体形成しても構わない。
【００３２】
（構成−第１端末装置−スピーカ）
スピーカは、第１端末装置１０に関する各種情報を音声出力する音声出力手段である。スピーカより出力される音声の具体的な態様は任意であり、必要に応じて生成された合成音声や、予め録音された音声を出力することができる（なお、後述する第２端末装置２０のスピーカについても同様とする）。
【００３３】
（構成−第１端末装置−撮像部）
撮像部は、画像を撮像する撮像手段である。この撮像部の具体的な種類や構成は任意であるが、例えば、公知の携帯端末用カメラ（一例として、イメージセンサを備えるカメラ）等を用いることができる（なお、後述する第２端末装置２０の撮像部についても同様とする）。
【００３４】
（構成−第１端末装置−制御部）
制御部は、第１端末装置１０を制御する制御手段であり、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（なお、後述する第２端末装置２０の制御部、及び後述する情報提供装置３０の制御部についても同様とする）。なお、この制御部によって実行される処理の詳細については後述する。
【００３５】
（構成−第１端末装置−データ記録部）
データ記録部は、第１端末装置１０の動作に必要なプログラム及び各種のデータ（例えば、第１端末装置１０を一意に識別する端末識別情報）を記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ  Ｒｏｍ、ＵＳＢメモリ、ＳＤカードの如き電気的記録媒体を含む、その他の任意の記録媒体を用いることができる（なお、第１端末装置１０のデータ記録部、及び後述する情報提供装置３０のデータ記録部についても同様とする）。
【００３６】
（構成−第２端末装置）
次に、第２端末装置２０の構成について説明する。第２端末装置２０は、第２ユーザ（実施の形態１では、コンビニエンスストアの店員）によって所持されている端末装置であり、通信部、タッチパッド、ディスプレイ、スピーカ、撮像部、制御部、及びデータ記録部を備えている（いずれも図示省略）。なお、この第２端末装置２０は、例えば公知の携帯端末等を用いて構成することができるので、その詳細な説明は省略する。
【００３７】
（構成−第２端末装置−通信部、タッチパッド、スピーカ、撮像部）
通信部は、情報提供装置３０との相互間で通信を行うための通信手段である。タッチパッドは、第２ユーザの指等で押圧されることにより、当該第２ユーザから各種操作入力を受け付ける操作手段である。スピーカは、第２端末装置２０に関する各種情報を音声出力する音声出力手段である。撮像部は、画像を撮像する撮像手段である。
【００３８】
（構成−第２端末装置−制御部、データ記録部）
制御部は、第２端末装置２０を制御する制御手段である。なお、この制御部によって実行される処理の詳細については後述する。データ記録部は、第２端末装置２０の動作に必要なプログラム及び各種のデータ（例えば、第２端末装置２０を一意に識別する端末識別情報）を記録する記録手段である。
【００３９】
（構成−情報提供装置）
次に、情報提供装置３０の構成について説明する。図２は、情報提供装置３０の電気的構成を示したブロック図である。情報提供装置３０は、提供情報を第１端末装置１０又は第２端末装置２０に対して提供する情報提供システムであり、図２に示すように、通信部３１、制御部３２、及びデータ記録部３３を備えている。なお、この情報提供装置３０は、例えば、基地局（図示省略）に設けられた公知のサーバ等によって構成することができるので、その詳細な説明は省略する。また、「提供情報」は、実施の形態１では、第２ユーザが経営する店舗で販売されている商品の割引額を示す商品割引情報として説明する。
【００４０】
（構成−情報提供装置−通信部）
通信部３１は、複数の第１端末装置１０又は第２端末装置２０との相互間で通信を行うための通信手段である。
【００４１】
（構成−情報提供装置−制御部）
制御部３２は、情報提供装置３０を制御する制御手段であり、具体的には、実施の形態１に係る情報提供プログラムが任意の記録媒体又はネットワーク２を介して情報提供装置３０にインストールされることで、制御部３２の各部を実質的に構成する。
【００４２】
また、この制御部３２は、図２に示すように、機能概念的に、取得部３２ａ、編集部３２ｂ、及び提供部３２ｃを備えている。
【００４３】
取得部３２ａは、後述する図４の第１認証情報Ａ１と、第２認証情報Ａ２とを取得する取得手段である。
【００４４】
ここで、実施の形態１に係る認識情報には、第１認証情報Ａ１、第２認証情報Ａ２、及び第３認証情報Ａ３が含まれている。このうち、「第１認証情報Ａ１」とは、対応情報を提供することを可能にする認証情報であり、実施の形態１では、商品（物体）に付されており、商品から取得可能なバーコード情報（具体的には、商品固有のコードを示す情報）として説明する。なお、「商品の如き物体又は動物から取得可能な」とは、実施の形態１では、各種の認証情報が直接的に物体又は動物に付されており（例えば、バーコード情報が物体に直接印刷されており）、あるいは各種の認証情報が間接的に物体又は動物に付されており（例えば、認証情報としてのバーコード情報が印刷された紙（あるいは、シール又はタグ等）が物体に貼付されていたり、認証情報としての電子情報を記録するＲＦＩＤが物体に貼付されており）、公知の手段（一例として、撮像装置、バーコードリーダ装置）等を用いて機械的、電気的、又は光学的に取得することができることを意味する。また、「第２認証情報Ａ２」とは、第１認証情報Ａ１とは異なる認証情報であり、実施の形態１では、第２ユーザに付されており、第２ユーザから取得可能なバーコード情報（具体的には、第２ユーザ固有のコードを示す情報）として説明する。また、「第３認証情報Ａ３」とは、第１認証情報Ａ１及び第２認証情報Ａ２とは異なる認証情報であり、実施の形態１では、第１ユーザが所定方法で取得した割引クーポン券（物体）から取得可能なバーコード情報（具体的には、割引クーポン券固有のコードを示す情報）として説明する。また、「対応情報」とは、単独で人にとって意味をなす情報であると共に第１認証情報Ａ１と対応する情報であり、実施の形態１では、商品の価格を示す商品価格情報として説明する。なお、「単独で人にとって意味をなす」とは、１つの対応情報だけで人が当該対応情報の意味を視覚的又は聴覚的に認識できることを意味する。また、この「単独で人にとって意味をなす情報」としては、例えば、後述の図４に示す商品価格情報は、単独で人にとって意味をなす情報に該当するが、複数の文字が羅列されており、且つ複数の文字全体の意味を視覚的且つ聴覚的に認識できない情報は、単独で人にとって意味をなす情報に該当しないものとする。また、「固有のコードを示す情報」とは、物毎又は人毎に異なるコードを示す情報であることを意味する。このような第１認証情報Ａ１、第２認証情報Ａ２、及び第３認証情報Ａ３により、認証情報の取り扱いが容易となるため、情報提供装置３０の処理負荷を軽減できる。特に、第１認証情報Ａ１が物体から取得可能な情報であるので、例えば、物体と関連する第１認証情報Ａ１を簡易に取得でき、第１認証情報Ａ１の取り扱いが容易となる。
【００４５】
編集部３２ｂは、取得部３２ａによって第１認証情報Ａ１と第２認証情報Ａ２とが取得されたことを条件の少なくとも一部として、提供情報又は対応情報の少なくともいずれか一方の編集（具体的には、変更、追加、削除等）を第２端末装置２０を介して行うことを可能にする編集手段である。
【００４６】
提供部３２ｃは、取得部３２ａによって第１認証情報Ａ１と第３認証情報Ａ３とが取得されたことを条件の少なくとも一部として、提供情報を第１端末装置１０又は第２端末装置２０に対して提供する提供手段を備える。なお、この制御部３２によって実行される処理の詳細については後述する。
【００４７】
（構成−情報提供装置−データ記録部）
データ記録部３３は、情報提供装置３０の動作に必要なプログラム及び各種のデータを記録する記録手段であり、図２に示すように、対応データベース３３ａ（以下、データベースを「ＤＢ」と称する）及び提供ＤＢ３３ｂを備えている。
【００４８】
対応ＤＢ３３ａは、対応情報を格納する対応情報格納手段であり、実施の形態１では、第１認証情報Ａ１、第２認証情報Ａ２、及び対応情報を相互に関連付けて格納している。
【００４９】
提供ＤＢ３３ｂは、提供情報を格納する提供情報格納手段であり、実施の形態１では、第１認証情報Ａ１、第３認証情報Ａ３、及び提供情報を相互に関連付けて格納している。
【００５０】
（情報提供処理）
次に、このように構成された情報提供装置３０によって実行される情報提供処理について説明する。
【００５１】
図３は、実施の形態１に係る情報提供処理のフローチャートである（以下の各処理の説明ではステップを「Ｓ」と略記する）。図４は、情報提供処理を概念的に示す図であり、（ａ）は対応情報を提供する図であり、（ｂ）は対応情報を編集する図であり、（ｃ）は提供情報を提供する図である。情報提供処理は、概略的には、第１端末装置１０又は第２端末装置２０に対して提供情報を提供する処理である。また、この情報処理を実行するタイミングは任意であるが、実施の形態１においては、情報提供装置３０に電源が投入された後に起動されるものとして説明する。
【００５２】
情報提供処理が起動されると、まず、図３に示すように、ＳＡ１において情報提供装置３０の取得部３２ａは、第１認証情報Ａ１のみが取得されたか否かを判定する。
【００５３】
この第１認証情報Ａ１のみが取得されたか否かの判定方法については任意であるが、実施の形態１では、ＳＡ１の処理開始から所定時間内に第１認証情報Ａ１が第１端末装置１０又は第２端末装置２０から取得され、且つ他の認証情報が取得されていないか否かに基づいて判定し、上記第１認証情報Ａ１が取得され、且つ他の認証情報が取得されていない場合には第１認証情報Ａ１のみが取得されたと判定し、上記第１認証情報Ａ１が取得されず、又は他の認証情報が取得された場合には第１認証情報Ａ１が取得されなかったと判定する。
【００５４】
ここで、外部から取得された認証情報が第１認証情報Ａ１、第２認証情報Ａ２、又は第３認証情報Ａ３であるか否かの識別方法については任意であるが、例えば、上記認証情報に種別を特定するヘッダー情報を含ませることにより、当該ヘッダー情報に基づいて認証情報の種別を識別してもよい。あるいは、例えば、上記認証情報が対応ＤＢ３３ａ又は提供ＤＢ３３ｂに含まれる第１認証情報Ａ１、第２認証情報Ａ２、又は第３認証情報Ａ３に該当するか否かに基づいて認証情報の種別を識別してもよい（なお、後述するＳＡ３、ＳＡ７についても同様とする）。
【００５５】
なお、第１端末装置１０又は第２端末装置２０において第１認証情報Ａ１を取得する方法については任意であるが、例えば、第１端末装置１０又は第２端末装置２０の撮像部によって商品に付された第１認証情報Ａ１を撮像したり、又は第１端末装置１０又は第２端末装置２０のタッチパッドを介して第１認証情報Ａ１を入力することにより、取得してもよい（なお、第２認証情報Ａ２及び第３認証情報Ａ３を取得する方法についても同様とする）。なお、後述するＳＡ３及びＳＡ７のように、複数の認証情報を取得した場合には、当該複数の認証情報を情報提供装置３０に対して同時に送信してもよく、あるいは、別々に送信してもよい。
【００５６】
そして、情報提供装置３０の取得部３２ａは、第１認証情報Ａ１のみが取得されたと判定された場合（ＳＡ１、Ｙｅｓ）にはＳＡ２に移行し、第１認証情報Ａ１のみが取得されたと判定されなかった場合（ＳＡ１、Ｎｏ）にはＳＡ３に移行する。
【００５７】
ＳＡ２において情報提供装置３０の制御部３２は、対応情報を第１端末装置１０又は第２端末装置２０に対して提供し、その後ＳＡ１に移行する。
【００５８】
この対応情報の提供方法については任意であるが、実施の形態１では、対応ＤＢ３３ａに格納されている対応情報のうち、ＳＡ１にて取得された第１認証情報Ａ１に対応する対応情報を抽出し、ＳＡ１にて取得された第１認証情報Ａ１に付加された端末識別情報を当該抽出した対応情報に付加したものを送信することにより、提供する。これにより、ＳＡ１にて取得された第１認証情報Ａ１の取得先である第１端末装置１０又は第２端末装置２０が上記端末識別情報に基づいて対応情報を受信できるので、当該第１端末装置１０又は第２端末装置２０に対して対応情報を提供することが可能となる。
【００５９】
なお、ＳＡ２にて対応情報が提供された後の第１端末装置１０又は第２端末装置２０の具体的な処理内容については任意であるが、実施の形態１では、以下に示す処理が実行される。すなわち、第１端末装置１０（又は第２端末装置２０）の制御部は、ＳＡ２にて提供された対応情報を受信した後、図４（ａ）に示すように、ディスプレイの画面上に表示領域（以下、「対応表示領域」と称する）を生成し、当該生成した対応表示領域に当該対応情報（図４（ａ）では、「１００円」を示す商品価格情報）を表示させる。ただし、これに限らず、例えば、ＳＡ２にて提供された対応情報を受信した後、スピーカによって当該対応情報を音声出力させてもよい。これにより、第１ユーザ（又は第２ユーザ）に対して対応情報を提示でき、第１ユーザ（又は第２ユーザ）が対応情報の内容を確認できる。
【００６０】
このようなＳＡ１、ＳＡ２の処理により、第１認証情報Ａ１のみが取得されたことを条件の少なくとも一部として、対応情報を第１端末装置１０又は第２端末装置２０に対して提供でき、第１ユーザ又は第２ユーザのニーズに応じた対応情報の利用を行うことが可能になる。また、第１認証情報Ａ１が、単独で人にとって意味をなす対応情報を提供することを可能にする情報であるので（実施の形態１では、「１００円」を示す商品価格情報をユーザに適用することができるので）、後述する対応情報の編集を行う際の認証に用いられること以外の様々な用途に利用することができる。よって、従来の認証情報に比べて、第１認証情報Ａ１の使用性を高めることができる。
【００６１】
図３に戻り、ＳＡ３において情報提供装置３０の取得部３２ａは、第１認証情報Ａ１及び第２認証情報Ａ２が取得されたか否かを判定する。
【００６２】
この第１認証情報Ａ１及び第２認証情報Ａ２が取得されたか否かの判定方法については任意であるが、実施の形態１では、所定タイミング、所定順序、所定回数で第１認証情報Ａ１及び第２認証情報Ａ２が第２端末装置２０から取得され、且つ他の認証情報が取得されていないか否かに基づいて判定し、上記所定タイミング等で第１認証情報Ａ１及び第２認証情報Ａ２が取得され、且つ他の認証情報が取得されていない場合には第１認証情報Ａ１及び第２認証情報Ａ２が取得されたと判定し、上記所定タイミング等で第１認証情報Ａ１及び第２認証情報Ａ２が取得されず、又は且つ他の認証情報が取得された場合には第１認証情報Ａ１及び第２認証情報Ａ２が取得されなかったと判定する。
【００６３】
ここで、「所定タイミングで取得する」とは、例えば、ＳＡ３の処理開始から所定時間内（あるいは、所定時間帯内、所定時刻）に第１認証情報Ａ１及び第２認証情報Ａ２を取得すること、同時に第１認証情報Ａ１及び第２認証情報Ａ２を取得すること等が該当する（なお、後述のＳＡ７の「所定タイミングで取得する」についても略同様とする）。また、「所定順序で取得する」とは、例えば、第１認証情報Ａ１又は第２認証情報Ａ２のいずれか一方を取得してからいずれか他方を取得すること等が該当する（なお、後述のＳＡ７の「所定順序で取得する」についても略同様とする）。また、「所定回数」とは、第１認証情報Ａ１及び第２認証情報Ａ２をそれぞれ１回のみ取得すること、第１認証情報Ａ１又は第２認証情報Ａ２の少なくともいずれか一方を複数回取得すること等が該当する（なお、後述のＳＡ７の「所定回数で取得する」についても略同様とする）。
【００６４】
そして、情報提供装置３０の取得部３２ａは、第１認証情報Ａ１及び第２認証情報Ａ２が取得されたと判定された場合（ＳＡ３、Ｙｅｓ）にはＳＡ４に移行し、第１認証情報Ａ１及び第２認証情報Ａ２が取得されたと判定されなかった場合（ＳＡ３、Ｎｏ）にはＳＡ７に移行する。
【００６５】
ＳＡ４において情報提供装置３０の制御部３２は、対応情報を第２端末装置２０に送信する。
【００６６】
この対応情報の送信方法については任意であるが、実施の形態１では、対応ＤＢ３３ａに格納されている対応情報のうち、ＳＡ３にて取得された第１認証情報Ａ１及び第２認証情報Ａ２に対応する対応情報を抽出し、ＳＡ１にて取得された第１認証情報Ａ１（又は第２認証情報Ａ２）に付加された端末識別情報を当該抽出した対応情報に付加したものを送信する（ただし、これに限らず、例えば、ＳＡ３にて取得された第１認証情報Ａ１のみに対応する対応情報を抽出して送信してもよい。なお、他の実施の形態についても、略同様に行ってもよい。）。なお、対応ＤＢ３３ａに格納されている対応情報のうち、ＳＡ３にて取得された第１認証情報Ａ１及び第２認証情報Ａ２に対応する対応情報を抽出できなかった場合には、認証できなかったものとして、ＳＡ１に移行させる。
【００６７】
また、ＳＡ４にて対応情報が送信された後の第２端末装置２０の具体的な処理内容については任意であるが、実施の形態１では、以下に示す処理が実行される。すなわち、第２端末装置２０の制御部は、まず、ＳＡ４にて送信された対応情報に付加された端末識別情報に基づいて対応情報を受信した後、図４（ｂ）に示すように、ディスプレイの画面上に表示領域（以下、「編集表示領域」と称する）を生成し、当該生成した編集表示領域に当該対応情報（図４（ｂ）では、「１００円」を示す商品価格情報）を表示させる。次に、第２端末装置２０のタッチパッドを介して第２ユーザによって入力された商品価格情報（図４（ｂ）では、「８０円」を示す商品価格情報）を編集表示領域に表示させて、当該タッチパッドを介して所定操作が行われることにより当該商品価格情報を編集対象とすべき対応情報（以下、「編集対象対応情報」と称する）として特定する。その後、上記特定された編集対象対応情報にＳＡ３にて取得された第１認証情報Ａ１を付加したものを情報提供装置３０に送信する。ただし、これに限らず、例えば、対応情報を新規に追加する場合には、上記タッチパッドを介して入力された商品価格情報のみが編集表示領域に表示されてもよい。また、対応情報を削除する場合には、当該削除する旨を示す編集対象対応情報が編集表示領域に表示されてもよい（他の実施の形態についても同様とする）。
【００６８】
図３に戻り、ＳＡ５において情報提供装置３０の取得部３２ａは、編集対象対応情報が取得されたか否かを判定する。そして、情報提供装置３０の取得部３２ａは、編集対象対応情報が取得されたと判定されるまで待機し（ＳＡ５、Ｎｏ）、編集対象対応情報が取得されたと判定された場合（ＳＡ５、Ｙｅｓ）にはＳＡ６に移行する。なお、この編集対象対応情報が取得されたと判定されるまでの時間が所定時間を超える場合には、例えば、編集対象対応情報が取得されたと判定されるまでの間、ＳＡ１から後述のＳＡ８の処理を並行して実行してもよい。
【００６９】
ＳＡ６において情報提供装置３０の編集部３２ｂは、対応情報の編集を実行し、その後ＳＡ１に移行する。
【００７０】
この対応情報の編集方法については任意であるが、実施の形態１では、対応ＤＢ３３ａに格納されている対応情報のうち、ＳＡ５にて取得された編集対象対応情報に付加された第１認証情報Ａ１に対応する対応情報を特定し、当該特定してから所定時間経過後に（又は当該特定後すぐに）ＳＡ５にて取得された編集対象対応情報を当該特定した対応情報に置き換えて格納することにより、編集する。
【００７１】
このようなＳＡ３からＳＡ６の処理により、第１認証情報Ａ１及び第２認証情報Ａ２が取得されたことを条件の少なくとも一部として、第２端末装置２０を介して対応情報の編集を行うことができる。よって、対応情報が不正に編集されることを回避でき、当該編集を行う際のセキュリティを高めることが可能となる。特に、編集部３２ｂが、取得部３２ａによって第１認証情報Ａ１及び第２認証情報Ａ２が所定タイミング、所定順序、所定回数、又は所定位置で取得されたか否かを条件の少なくとも一部として、対応情報の編集を行うことができ、当該編集を行う際のセキュリティを高めやすくなる。
【００７２】
ＳＡ７において情報提供装置３０の取得部３２ａは、第１認証情報Ａ１及び第３認証情報Ａ３が取得されたか否かを判定する。
【００７３】
この第１認証情報Ａ１及び第３認証情報Ａ３が取得されたか否かの判定方法については任意であるが、実施の形態１では、所定タイミング、所定順序、所定回数で第１認証情報Ａ１及び第３認証情報Ａ３が第１端末装置１０又は第２端末装置２０から取得され、且つ他の認証情報が取得されていないか否かに基づいて判定し、上記所定タイミング等で第１認証情報Ａ１及び第３認証情報Ａ３が取得され、且つ他の認証情報が取得されていない場合には第１認証情報Ａ１及び第３認証情報Ａ３が取得されたと判定し、上記所定タイミング等で第１認証情報Ａ１及び第３認証情報Ａ３が取得されず、又は他の認証情報が取得された場合には第１認証情報Ａ１及び第３認証情報Ａ３が取得されなかったと判定する。
【００７４】
そして、情報提供装置３０の取得部３２ａは、第１認証情報Ａ１及び第３認証情報Ａ３が取得されたと判定されなかった場合（ＳＡ７、Ｎｏ）にはＳＡ１に移行し、第１認証情報Ａ１及び第３認証情報Ａ３が取得されたと判定された場合（ＳＡ７、Ｙｅｓ）にはＳＡ８に移行する。
【００７５】
ＳＡ８において情報提供装置３０の提供部３２ｃは、提供情報を第１端末装置１０又は第２端末装置２０に対して提供する。その後、ＳＡ１に移行して、以降同様に、ＳＡ１からＳＡ８の処理を繰り返す。
【００７６】
また、この提供情報の提供方法については任意であるが、実施の形態１では、提供ＤＢ３３ｂに格納されている提供情報のうち、ＳＡ７にて取得された第１認証情報Ａ１及び第３認証情報Ａ３に対応する提供情報を抽出し、ＳＡ７にて取得された第１認証情報Ａ１又は第３認証情報Ａ３に付加された端末識別情報を当該抽出した提供情報に付加したものを送信することにより、提供する。なお、提供ＤＢ３３ｂに格納されている提供情報のうち、ＳＡ７にて取得された第１認証情報Ａ１及び第３認証情報Ａ３に対応する提供情報を抽出できなかった場合には、認証できなかったものとして、ＳＡ１に移行させる。
【００７７】
なお、ＳＡ８にて提供情報が提供された後の第１端末装置１０又は第２端末装置２０の具体的な処理内容については任意であるが、実施の形態１では、以下に示す処理が実行される。すなわち、第１端末装置１０（又は第２端末装置２０）の制御部は、ＳＡ８にて提供された提供情報を受信した後、図４（ｃ）に示すように、ディスプレイの画に表示領域（以下、「提供表示領域」と称する）を生成し、当該生成した提供表示領域に当該提供情報（図４（ｃ）では、「チョコレート２０％オフ」を示す商品割引情報、及び又は２０％オフを適用した後の価格である「８０円」を示す商品割引情報）を表示させる。これにより、例えば、第１ユーザ（又は第２ユーザ）が上記店舗においてＳＡ８にて提供された提供情報に関連する商品を購入する際に、第１認証情報Ａ１及び第３認証情報Ａ３を取得することにより、提供情報を第２ユーザに対して提示でき、当該商品の価格が割引されるというサービスを当該第１ユーザ（又は第２ユーザ）が受けられる。
【００７８】
このようなＳＡ７、ＳＡ８の処理により、第１認証情報Ａ１及び第３認証情報Ａ３が取得されたことを条件の少なくとも一部として、提供情報を第１端末装置１０又は第２端末装置２０に対して提供することができる。よって、提供情報が不正に提供されることを回避でき、当該提供を行う際のセキュリティを高めることができる。特に、提供部３２ｃが、取得部３２ａによって第１認証情報Ａ１及び第３認証情報Ａ３が所定タイミング、所定順序、所定回数、又は所定位置で取得されたか否かを条件の少なくとも一部として、提供情報の提供を行うことができ、当該提供を行う際のセキュリティを高めやすくなる。
【００７９】
以上のような情報提供処理により、情報処理システム１のセキュリティを高めながら、端末装置に対して提供情報を提供することができる。
【００８０】
（効果）
このように実施の形態１によれば、取得部３２ａによって第１認証情報Ａ１と第２認証情報Ａ２とが取得されたことを条件の少なくとも一部として、対応情報の編集を端末装置を介して行うことを可能にする編集部３２ｂを備えるので、第１認証情報Ａ１及び第２認証情報Ａ２が取得されたことを条件の少なくとも一部として、対応情報の編集を行うことができる。よって、対応情報が不正に編集されることを回避でき、当該編集を行う際のセキュリティを高めることが可能となる。また、第１認証情報Ａ１が、単独で人にとって意味をなす対応情報を提供することを可能にする情報であるので、上記編集を行う際の認証に用いられること以外の様々な用途に利用することができる。よって、従来の認証情報に比べて、第１認証情報Ａ１の使用性を高めることができる。
【００８１】
また、第１認証情報Ａ１が、物体から取得可能な情報であるので、例えば、物体と関連する第１認証情報Ａ１を簡易に取得でき、第１認証情報Ａ１の取り扱いが容易となる。
【００８２】
また、編集部３２ｂが、取得部３２ａによって第１認証情報Ａ１及び第２認証情報Ａ２が所定タイミング、所定順序、又は所定回数で取得されたか否かを条件の少なくとも一部として、対応情報の編集を行うことを可能にするので、当該編集を行う際のセキュリティを高めやすくなるため、情報提供装置３０の信頼性を高めることができる。
【００８３】
また、取得部３２ａによって第１認証情報Ａ１と、第３認証情報Ａ３とが取得されたことを条件の少なくとも一部として、提供情報を端末装置に対して提供する提供部３２ｃを備えるので、第１認証情報Ａ１及び第３認証情報Ａ３が取得されたことを条件の少なくとも一部として、提供情報を提供することができる。よって、提供情報が不正に提供されることを回避でき、当該提供を行う際のセキュリティを高めることができる。
【００８４】
また、提供部３２ｃが、取得部３２ａによって第１認証情報Ａ１及び第３認証情報Ａ３が所定タイミング、所定順序、又は所定回数で取得されたか否かを条件の少なくとも一部として、提供情報を提供するので、当該提供を行う際のセキュリティを高めやすくなるため、情報提供装置３０の信頼性を一層高めることができる。
【００８５】
また、認証情報が、バーコード情報を含むので、認証情報の取り扱いが容易となるため、情報提供装置３０の使用性を高めることができる。
【００８６】
〔実施の形態２〕
次に、実施の形態２に係る情報提供システムについて説明する。この実施の形態２は、提供情報が後述の第３ユーザ連絡先情報であり、情報提供システムが第１認証情報及び第２認証情報が取得されたことを条件の少なくとも一部として、対応情報又は提供情報の編集を行う形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００８７】
（構成）
最初に、実施の形態２に係る情報処理システムの構成について説明する。図５は、実施の形態２に係る情報処理システムを概念的に示す図である。図５に示すように、情報処理システム１００は、複数の第１端末装置１０と、第２端末装置２０と、第３端末装置４０と、情報提供装置３０とを備えており、これら複数の第１端末装置１０、第２端末装置２０、及び第３端末装置４０の各々と、情報提供装置３０とはネットワーク２を介して相互に通信可能に接続されている。
【００８８】
（構成−第１端末装置）
次に、第１端末装置１０の構成について説明する。第１端末装置１０は、第１ユーザ（実施の形態２では、後述するペットの飼い主及び後述する保健所の役人とは異なる第三者であり、例えば通行人）によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。なお、提供ＤＢ３３ｂについては、実施の形態２では、第１認証情報Ａ１、第２認証情報Ａ２、第３認証情報Ａ３、及び提供情報を相互に関連付けて格納しているものとして説明する。
【００８９】
（構成−第２端末装置）
次に、第２端末装置２０の構成について説明する。第２端末装置２０は、第２ユーザ（実施の形態２では、保健所の職員）によって所持されている端末装置であり、第１端末装置１０と略同様に構成されており、通信部、タッチパッド、ディスプレイ、スピーカ、撮像部、制御部、及びデータ記録部を備えている（いずれも図示省略）。
【００９０】
（構成−第３端末装置）
次に、第３端末装置４０の構成について説明する。第３端末装置４０は、第３ユーザ（実施の形態２では、ペットの飼い主）によって所持されている端末装置であり、第１端末装置１０と略同様に構成されており、通信部、タッチパッド、ディスプレイ、スピーカ、撮像部、制御部、及びデータ記録部を備えている（いずれも図示省略）。
【００９１】
（構成−情報提供装置）
次に、情報提供装置３０の構成について説明する。情報提供装置３０は、提供情報を第１端末装置１０、第２端末装置２０、又は第３端末装置４０に対して提供する情報提供システムであり、実施の形態１に係る情報提供装置３０と略同様に構成されており、通信部３１、制御部３２、及びデータ記録部３３を備えている。
【００９２】
ここで、データ記録部３３の対応ＤＢ３３ａ及び提供ＤＢ３３ｂは、実施の形態１に係る対応ＤＢ３３ａ及び提供ＤＢ３３ｂと略同様に構成されているが、これら対応ＤＢ３３ａ及び提供ＤＢ３３ｂに格納されている第１認証情報Ａ１、第２認証情報Ａ２、第３認証情報Ａ３、対応情報、及び提供情報の詳細について説明する。
【００９３】
まず、「第１認証情報Ａ１」は、実施の形態２では、第３ユーザが所有するペット（動物）に付されており、ペットから取得可能なＱＲコード情報（具体的には、ペット固有のコードを示す情報であり、例えばペットの首輪や服に貼付されている情報）として説明する。また、「第２認証情報Ａ２」は、実施の形態２では、第３ユーザが所持している認証カード（以下、「第３ユーザ側認証カード」と称する）に付されており、第３ユーザ側認証カードから取得可能なＱＲコード情報（具体的には、第３ユーザ固有のコードを示す情報）として説明する。また、「第３認証情報Ａ３」は、実施の形態２では、第２ユーザが所持している認証カード（以下、「第２ユーザ側認証カード」と称する）に付されており、第２ユーザ側認証カードから取得可能なＱＲコード情報（具体的には、第２ユーザ固有のコードを示す情報）として説明する。また、「対応情報」は、実施の形態２では、第３認証情報Ａ３の保有先を示す保有先情報（具体的には、第２ユーザの連絡先（例えば、氏名、住所、電話番号、メールアドレス等）を示す情報）として説明する。また、「提供情報」は、実施の形態２では、第３ユーザの連絡先（例えば、氏名、住所、電話番号、メールアドレス等）を示す第３ユーザ連絡先情報として説明する。
【００９４】
（情報提供処理）
次に、このように構成された情報提供装置３０によって実行される情報提供処理について説明する。
【００９５】
図６は、実施の形態２に係る情報提供処理のフローチャートである。図７は、情報提供処理を概念的に示す図であり、（ａ）は対応情報を提供する図であり、（ｂ）は提供情報を編集する図であり、（ｃ）は提供情報を提供する図である。情報提供処理は、概略的には、第１端末装置１０又は第２端末装置２０に対して提供情報を提供する処理である。
【００９６】
情報提供処理が起動されると、まず、図６に示すように、ＳＢ１において情報提供装置３０の取得部３２ａは、第１認証情報Ａ１のみが取得されたか否かを判定する。
【００９７】
この第１認証情報Ａ１が取得されたか否かの判定方法については任意であるが、実施の形態２では、ＳＢ１の処理開始から所定時間内に第１認証情報Ａ１が第１端末装置１０（又は、第２端末装置２０若しくは第３端末装置４０）から取得され、且つ他の認証情報が取得されていないか否かに基づいて判定し、第１認証情報Ａ１が取得され、且つ他の認証情報が取得されていない場合には第１認証情報Ａ１が取得されたと判定し、第１認証情報Ａ１のみが取得されず、又は他の認証情報が取得された場合には第１認証情報Ａ１が取得されなかったと判定する。
【００９８】
そして、情報提供装置３０の取得部３２ａは、第１認証情報Ａ１のみが取得されたと判定された場合（ＳＢ１、Ｙｅｓ）にはＳＢ２に移行し、第１認証情報Ａ１のみが取得されたと判定されなかった場合（ＳＢ１、Ｎｏ）にはＳＢ３に移行する。
【００９９】
ＳＢ２において情報提供装置３０の制御部３２は、対応情報を第１端末装置１０（又は、第２端末装置２０若しくは第３端末装置４０）に対して提供し、その後ＳＢ１に移行する。
【０１００】
この場合において、例えば、ＳＢ２にて対応情報が第１端末装置１０に対して提供された場合には、第１端末装置１０の制御部は、当該対応情報を受信した後、図７（ａ）に示すように、ディスプレイの画面上に対応表示領域を生成し、当該生成した対応表示領域に当該対応情報（図７（ａ）では、「保健所ＴＥＬ  ０９０−△△△−△△△」を示す保有先情報）を表示させてもよい。これにより、例えば、迷子になっているペットを見つけた通行人である第１ユーザが、ペットから第１認証情報Ａ１を取得すると、この第１ユーザに対して対応情報を提示でき、第１ユーザは保健所の職員である第２ユーザに対して連絡することが可能となる。
【０１０１】
このようなＳＢ１、ＳＢ２の処理により、第１認証情報Ａ１のみが取得されたことを条件の少なくとも一部として、対応情報を第１端末装置１０（又は、第２端末装置２０若しくは第３端末装置４０）に対して提供でき、ユーザが対応情報（保有先情報）を簡易に入手することが可能になる。また、例えば、対応情報である保有先情報に連絡するという手順を経た後に提供情報が提供される場合には、提供情報が不用意に第１ユーザに提供されることを回避でき、個人情報のように秘匿性のある情報を保護することができる。
【０１０２】
図６に戻り、ＳＢ３において情報提供装置３０の取得部３２ａは、上記ＳＡ３の処理と略同様の方法で、第１認証情報Ａ１及び第２認証情報Ａ２が取得されたか否かを判定する。そして、情報提供装置３０の取得部３２ａは、第１認証情報Ａ１及び第２認証情報Ａ２が取得されたと判定された場合（ＳＢ３、Ｙｅｓ）にはＳＢ４に移行し、第１認証情報Ａ１及び第２認証情報Ａ２が取得されたと判定されなかった場合（ＳＢ３、Ｎｏ）にはＳＢ７に移行する。
【０１０３】
ＳＢ４において情報提供装置３０の制御部３２は、対応情報又は提供情報を第３端末装置４０に送信する。
【０１０４】
この対応情報の送信方法については任意であるが、実施の形態２では、上記ＳＡ４と略同様の方法で実行する。また、この提供情報の送信方法については任意であるが、実施の形態２では、提供ＤＢ３３ｂに格納されている対応情報のうち、ＳＢ３にて取得された第１認証情報Ａ１及び第２認証情報Ａ２に対応する提供情報を抽出し、ＳＢ２にて取得された第１認証情報Ａ１（又は第２認証情報Ａ２）に付加された端末識別情報を上記抽出した提供情報に付加したものを送信する。なお、提供ＤＢ３３ｂに格納されている提供情報のうち、ＳＢ３にて取得された第１認証情報Ａ１及び第２認証情報Ａ２に対応する提供情報を抽出できなかった場合には、認証できなかったものとして、ＳＢ１に移行させる。また、これら対応情報又は提供情報のいずれか一方又は両方を送信するか否かを決定する方法については任意であるが、例えば、送信すべき情報があらかじめ設定されている場合には、当該設定に基づいて決定してもよい。あるいは、第３端末装置４０から受信された指示情報であって、送信すべき情報を指示する指示情報に基づいて決定してもよい。
【０１０５】
ここで、ＳＢ４にて対応情報又は提供情報が送信された後の第３端末装置４０の具体的な処理内容については任意であるが、実施の形態２では、以下に示す処理が実行される。すなわち、第３端末装置４０の制御部は、まず、ＳＢ４にて送信された対応情報又は提供情報に付加された端末識別情報に基づいて対応情報又は提供情報を受信した後、図７（ｂ）に示すように、ディスプレイの画面上に編集表示領域を生成し、当該生成した編集表示領域に当該対応情報又は提供情報（図７（ｂ）では、「飼い主ＴＥＬ  ０９０−◇◇◇−◇◇◇」を示す第３ユーザ連絡先情報（提供情報））を表示させる。そして、第３端末装置４０のタッチパッドを介して第３ユーザから入力された保有先情報又は第３ユーザ連絡先情報（図７（ｂ）では、「飼い主ＴＥＬ  ０９０−×××−×××」を示す第３ユーザ連絡先情報）を編集表示領域に表示させて、当該タッチパッドを介して第３ユーザからの所定操作が行われることにより、当該保有先情報を編集対象対応情報として特定し又は当該第３ユーザ連絡先情報を編集対象とすべき提供情報（以下、「編集対象提供情報」と称する）として特定した後、当該特定された編集対象対応情報又は編集対象提供情報にＳＢ３にて取得された第１認証情報Ａ１を付加したものを情報提供装置３０に送信する。
【０１０６】
図６に戻り、ＳＢ５において情報提供装置３０の取得部３２ａは、編集対象対応情報又は編集対象提供情報が取得されたか否かを判定する。そして、情報提供装置３０の取得部３２ａは、編集対象対応情報又は編集対象提供情報が取得されたと判定されるまで待機し（ＳＢ５、Ｎｏ）、編集対象対応情報又は編集対象提供情報が取得されたと判定された場合（ＳＢ５、Ｙｅｓ）にはＳＢ６に移行する。
【０１０７】
ＳＢ６において情報提供装置３０の編集部３２ｂは、対応情報又は提供情報の編集を実行し、その後ＳＢ１に移行する。
【０１０８】
この対応情報の編集方法については任意であるが、実施の形態２では、上記ＳＡ６と略同様の方法で実行する。また、この提供情報の編集方法については任意であるが、実施の形態２では、提供ＤＢ３３ｂに格納されている提供情報のうち、ＳＢ５にて取得された編集対象提供情報に付加された第１認証情報Ａ１に対応する提供情報を特定し、ＳＢ５にて取得された編集対象提供情報を当該特定した提供情報に置き換えて格納することにより、編集する。
【０１０９】
このようなＳＢ３からＳＢ６の処理により、第１認証情報Ａ１及び第２認証情報Ａ２が取得されたことを条件の少なくとも一部として、第３端末装置４０を介して対応情報又は提供情報の編集を行うことができる。よって、提供情報が不正に編集されることを回避でき、当該編集を行う際のセキュリティを高めることが可能となる。また、第３ユーザ（飼い主）は、第３ユーザ連絡先情報を容易に編集することが可能となり、第３ユーザ連絡先情報に、自己の個人情報（例えば自己の住所や電話番号）を含めたり、自己の個人情報以外の情報（例えば自宅最寄りの保健所の電話番号）を含めたりする等、自己の考えやニーズに応じた適切な第３ユーザ連絡先情報を設定することが可能になる。
【０１１０】
ＳＢ７において情報提供装置３０の取得部３２ａは、第１認証情報Ａ１及び第３認証情報Ａ３が取得されたか否かを判定する。
【０１１１】
この第１認証情報Ａ１及び第３認証情報Ａ３が取得されたか否かの判定方法については任意であるが、実施の形態２では、所定タイミング、所定順序、所定回数で第１認証情報Ａ１及び第３認証情報Ａ３が第２端末装置２０（又は、第１端末装置１０若しくは第３端末装置４０）から取得され、且つ他の認証情報が取得されていないか否かに基づいて判定し、上記所定タイミング等で第１認証情報Ａ１及び第３認証情報Ａ３が取得され、且つ他の認証情報が取得されていない場合には第１認証情報Ａ１及び第３認証情報Ａ３が取得されたと判定し、上記所定タイミング等で第１認証情報Ａ１及び第３認証情報Ａ３が取得されず、又は他の認証情報が取得されていない場合には第１認証情報Ａ１及び第３認証情報Ａ３が取得されなかったと判定する。
【０１１２】
そして、情報提供装置３０の取得部３２ａは、上記ＳＡ７の処理と略同様の方法で、第１認証情報Ａ１及び第３認証情報Ａ３が取得されたと判定されなかった場合（ＳＢ７、Ｎｏ）にはＳＢ１に移行し、第１認証情報Ａ１及び第３認証情報Ａ３が取得されたと判定された場合（ＳＢ７、Ｙｅｓ）にはＳＢ８に移行する。
【０１１３】
ＳＢ８において情報提供装置３０の提供部３２ｃは、上記ＳＡ８の処理と略同様の方法で、提供情報を第２端末装置２０（又は、第１端末装置１０若しくは第３端末装置４０）に対して提供する。その後、ＳＢ１に移行して、以降同様に、ＳＢ１からＳＢ８の処理を繰り返す。
【０１１４】
なお、例えば、ＳＢ８にて提供情報が第２端末装置２０に対して提供された場合には、第２端末装置２０の制御部は、当該提供情報を受信した後、図７（ｃ）に示すように、ディスプレイの画面上に提供表示領域を生成し、当該生成した提供表示領域に当該提供情報（図７（ｃ）では、「飼い主ＴＥＬ  ０９０−×××−×××」を示す第３ユーザ連絡先情報）を表示させてもよい。これにより、例えば、第１ユーザから連絡を受けた第２ユーザが迷子になっているペットのいる現場に到着した際に、第１認証情報Ａ１及び第３認証情報Ａ３を取得することにより、第２ユーザに対して提供情報を提示でき、第２ユーザが第３ユーザに対して連絡することが可能となる。
【０１１５】
このようなＳＢ７、ＳＢ８の処理により、第１認証情報Ａ１及び第３認証情報Ａ３が取得されたことを条件の少なくとも一部として、提供情報を第２端末装置２０（又は、第１端末装置１０若しくは第３端末装置４０）に対して提供することができる。よって、提供情報が不正に提供されることを回避でき、当該提供を行う際のセキュリティを高めることができる。また、第１認証情報Ａ１が、単独で人にとって意味をなす対応情報を提供することを可能にする情報であるので、対応情報等の編集を行う際の認証に用いられること以外の様々な用途に利用することができる。特に、実施の形態２では、対応情報が第１認証情報以外の他の認証情報の取得又は提供情報の提供を受けることを容易にする情報として機能するので、当該他の認証情報の取得又は提供情報の提供を受けることを効率的に行うことが可能となる。よって、従来の認証情報に比べて、第１認証情報Ａ１の使用性を高めることができる。
【０１１６】
（効果）
このように実施の形態２によれば、取得部３２ａによって第１認証情報Ａ１と第２認証情報Ａ２とが取得されたことを条件の少なくとも一部として、提供情報又は対応情報の少なくともいずれか一方の編集を端末装置を介して行うことを可能にする編集部３２ｂを備えるので、第１認証情報Ａ１及び第２認証情報Ａ２が取得されたことを条件の少なくとも一部として、提供情報又は対応情報の編集を行うことができる。よって、提供情報又は対応情報が不正に編集されることを回避でき、当該編集を行う際のセキュリティを高めることが可能となる。また、第１認証情報Ａ１が、単独で人にとって意味をなす対応情報を提供することを可能にする情報であるので、上記編集を行う際の認証に用いられること以外の様々な用途に利用することができる。例えば、対応情報が第１認証情報Ａ１以外の他の認証情報の取得及び提供情報の提供を受けることを容易にする情報として機能するので、当該他の認証情報の取得及び提供情報の提供を受けることを効率的に行うことが可能となる。よって、従来の認証情報に比べて、第１認証情報Ａ１の使用性を高めることができる。
【０１１７】
また、第１認証情報Ａ１が、動物から取得可能な情報であるので、例えば、動物と関連する第１認証情報Ａ１を簡易に取得でき、第１認証情報Ａ１の取り扱いが容易となる。
【０１１８】
また、提供部３２ｃは、取得部３２ａによって第１認証情報Ａ１のみが取得されたことを条件の少なくとも一部として、保有先情報を端末装置に対して提供するので、ユーザが保有先情報を簡易に入手することが可能になる。また、例えば、対応情報である保有先情報に連絡するという手順を経た後に提供情報が提供される場合には、提供情報が不用意に端末装置等に提供されることを回避できる。
【０１１９】
また、認証情報が、ＱＲコード情報を含むので、認証情報の取り扱いが容易となるため、情報提供装置３０の使用性を高めることができる。
【０１２０】
〔実施の形態３〕
次に、実施の形態３について説明する。この実施の形態３は、第２端末装置が、第１認証情報及び第２認証情報が取得されたことを条件の少なくとも一部として、後述する引渡処理を行う形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１２１】
（構成）
最初に、実施の形態３に係る情報処理システムの構成について説明する。図８は、実施の形態３に係る情報処理システムを概念的に示す図である。図８に示すように、情報処理システム２００は、複数の第１端末装置１０と、第２端末装置２０と、情報提供装置３０とを備えており、これら複数の第１端末装置１０及び第２端末装置２０の各々と、情報提供装置３０とはネットワーク２を介して相互に通信可能に接続されている。
【０１２２】
（構成−第１端末装置）
次に、第１端末装置１０の構成について説明する。第１端末装置１０は、第１ユーザ（実施の形態３では、荷物の配送先であるユーザ（以下、「配送先ユーザ」と称する））によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。
【０１２３】
（構成−第２端末装置）
次に、第２端末装置２０の構成について説明する。図９は、第２端末装置の電気的構成を示したブロック図である。第２端末装置２０は、第２ユーザ（実施の形態３では、宅配ボックスを用いた保管サービスを提供する会社）によって管理されている端末装置であって、配送対象となる荷物を保管する保管システムである。この第２端末装置２０は、例えば公知の電気式の宅配ボックス等を用いて構成されており、所定位置（例えば、公共施設又は商業施設の近傍位置、配送先ユーザが住んでいる集合住宅の入口近傍位置等）に設置されており、図９に示すように、保管部２１、施錠部２２、通信部２３、出力部２４、撮像部２５、制御部２６、及びデータ記録部２７を備えている。
【０１２４】
（構成−第２端末装置−保管部）
保管部２１は、荷物を保管する保管手段である。この保管部２１は、例えば公知の宅配ボックス用の保管手段を用いて構成されており、第２端末装置２０の内部において幅方向又は高さ方向に沿って複数並設されている。
【０１２５】
（構成−第２端末装置−施錠部）
施錠部２２は、保管部２１の扉を施錠するための施錠手段である。この施錠部２２は、例えば公知の電気錠等を用いて構成されており、各保管部２１に取り付けられている。
【０１２６】
（構成−第２端末装置−通信部）
通信部２３は、情報提供装置３０との相互間で通信を行うための通信手段であり、有線通信網や移動体無線通信網を用いて通信を行う公知の通信手段を用いて構成されている。
【０１２７】
（構成−第２端末装置−出力部）
出力部２４は、制御部２６の制御に基づいて各種の情報を出力する出力手段であり、例えば液晶ディスプレイや有機ＥＬディスプレイの如きフラットパネルディスプレイ等の公知の表示手段やスピーカ等の公知の音声出力手段等を用いて構成されている。
【０１２８】
（構成−第２端末装置−撮像部）
撮像部２５は、画像を撮像する撮像手段であり、例えば公知の撮像手段等を用いて構成されている。
【０１２９】
（構成−第２端末装置−制御部）
制御部２６は、第２端末装置２０を制御する制御手段であり、図９に示すように、取得部２６ａを備えている。
【０１３０】
ここで、取得部２６ａは、第１認証情報と、第２認証情報とを取得する取得手段である。なお、「第１認証情報」は、実施の形態３では、第１ユーザが所持している認証カード（以下、「第１ユーザ側認証カード」と称する）に付されており、第１ユーザ側認証カードから取得可能なバーコード情報（具体的には、第１ユーザ固有のコードを示す情報）として説明する。また、「第２認証情報」は、実施の形態３では、荷物に付されており、情報提供装置３０から取得可能なバーコード情報（具体的には、荷物固有のコードを示す情報）として説明する。
【０１３１】
（構成−第２端末装置−データ記録部）
データ記録部２７は、第２端末装置２０の動作に必要なプログラム及び各種のデータを記録する記録手段であり、図９に示すように、保管部ＤＢ２７ａを備えている。
【０１３２】
ここで、保管部ＤＢ２７ａは、荷物を保管している保管部２１を示す保管部情報（具体的には、保管部２１のＩＤ情報（一例として、第２端末装置２０のＩＤ情報や位置情報（公共施設、商業施設、あるいは集合住宅の住所等）、保管部２１である保管ＢＯＸに予め付与されているＢＯＸ番号）を格納する保管部情報格納手段であり、実施の形態３では、第１認証情報、第２認証情報、及び保管部情報を相互に関連付けて格納している。なお、保管部ＤＢ２７ａに格納される情報の取得方法については、例えば、情報提供装置３０から当該情報を受信することにより取得してもよく、又は図示しない操作部を介して当該情報が入力されることにより取得してもよい。
【０１３３】
（構成−情報提供装置）
次に、情報提供装置３０の構成について説明する。図１０は、情報提供装置の電気的構成を示したブロック図である。情報提供装置３０は、各種の情報を第１端末装置１０及び第２端末装置２０に対して提供する情報提供システムであり、実施の形態１に係る情報提供装置３０と略同様に構成されており、通信部３１、制御部３２、及びデータ記録部３３を備えている（いずれも図示省略。なお、制御部３２の取得部３２ａ、編集部３２ｂ、及び提供部３２ｃと、データ記録部３３の対応ＤＢ３３ａ及び提供ＤＢ３３ｂとは省略されている）。
【０１３４】
（制御処理）
次に、このように構成された情報処理システム２００によって実行される制御処理について説明する。
【０１３５】
図１１は、実施の形態３に係る第１端末装置１０に関する制御処理のフローチャートである。図１２は、実施の形態３に係る第２端末装置２０に関する制御処理のフローチャートである。制御処理は、概略的には、第１端末装置１０、第２端末装置２０、及び情報提供装置３０を制御するための処理である。この制御処理を実行するタイミングは任意であるが、実施の形態３では、第１端末装置１０、第２端末装置２０、及び情報提供装置３０の電源が投入された後に起動されるものとして説明する。
【０１３６】
制御処理が起動されると、まず、図１１に示すように、ＳＣ１１において第１端末装置１０の制御部は、第１認証情報、第２認証情報、及び保管部情報が取得されたか否かを判定する。
【０１３７】
この第１認証情報、第２認証情報、及び保管部情報の取得方法については任意であるが、実施の形態３では、第１認証情報については、撮像部によって第１認証情報が撮像されることにより取得し、第２認証情報及び保管部情報については、所定タイミング（例えば、第２端末装置２０に荷物が保管されたタイミングであり、宅配業者が保管部２１に荷物を保管し、当該保管した保管部２１に対応する保管部情報及び当該荷物に対応する第２認証情報を情報提供装置３０に送信したタイミング等）で情報提供装置３０から受信することにより取得してもよい。なお、第１ユーザが保管部２１を予め把握している場合には、保管部２１に対応する保管部情報に関する処理は省略してもよい。
【０１３８】
そして、第１端末装置１０の制御部は、第１認証情報、第２認証情報、及び保管部情報が取得されるまで待機し（ＳＣ１１、Ｎｏ）、第１認証情報、第２認証情報、及び保管部情報が取得されたと判定された場合（ＳＣ１１、Ｙｅｓ）にはＳＣ１２に移行する。なお、ＳＣ１１にて取得された保管部情報の表示方法については任意であるが、例えば、ＳＣ１１にて取得された直後にディスプレイに表示させてもよい。
【０１３９】
ＳＣ１２において第１端末装置１０の制御部は、表示タイミングが到来したか否かを判定する。ここで、「表示タイミング」とは、第２端末装置２０において荷物の引き渡しが行われる際に、認証に用いられる第１認証情報及び第２認証情報を表示するタイミングを意味する。
【０１４０】
この表示タイミングが到来したか否かの判定方法については任意であるが、実施の形態３では、タッチパッドを介して所定操作が受け付けられたか否かに基づいて判定し、上記所定操作が受け付けられた場合には表示タイミングが到来したと判定し、上記所定操作が受け付けられていない場合には表示タイミングが到来していないと判定する。
【０１４１】
そして、第１端末装置１０の制御部は、表示タイミングが到来するまで待機し（ＳＣ１２、Ｎｏ）、表示タイミングが到来したと判定された場合（ＳＣ１２、Ｙｅｓ）にはＳＣ１３に移行する。
【０１４２】
ＳＣ１３において第１端末装置１０の制御部は、ＳＣ１１にて取得された第１認証情報及び第２認証情報をディスプレイに表示させ、その後制御処理を終了する。
【０１４３】
この第１認証情報及び第２認証情報の表示方法については任意であるが、実施の形態３では、ディスプレイの画面上に表示領域（以下、「認証表示領域」と称する）を生成し、当該生成した認証表示領域に第１認証情報及び第２認証情報を上下方向又は左右方向に並列して表示させる。ただし、これに限らず、例えば、第２端末装置２０において認証可能であれば、認証表示領域に第１認証情報又は第２認証情報を所定順序で個別に表示させてもよい。
【０１４４】
このようなＳＣ１１からＳＣ１３の処理により、第２端末装置２０において保管している荷物の引き渡しが行われる際に、第１認証情報及び第２認証情報を第２端末装置２０に対して認証可能に提示することが可能となる。
【０１４５】
次に、図１２に示すように、ＳＣ２１において第２端末装置２０の取得部２６ａは、第１認証情報及び第２認証情報が撮像部２５を介して取得されたか否かを判定する。
【０１４６】
この第１認証情報及び第２認証情報の取得方法については任意であるが、実施の形態３では、所定タイミング、所定順序、所定回数で第１認証情報及び第２認証情報が撮像部２５を介して取得された否かに基づいて判定し、上記所定タイミング等で第１認証情報及び第２認証情報が取得された場合には第１認証情報及び第２認証情報が取得されたと判定し、上記所定タイミング等で第１認証情報及び第２認証情報が取得されなかった場合には第１認証情報及び第２認証情報が取得されなかったと判定する。
【０１４７】
そして、第２端末装置２０の取得部２６ａは、第１認証情報、第２認証情報、及び保管部情報が取得されるまで待機し（ＳＣ２１、Ｎｏ）、第１認証情報、第２認証情報、及び保管部情報が取得されたと判定された場合（ＳＣ２１、Ｙｅｓ）にはＳＣ２２に移行する。
【０１４８】
ＳＣ２２において第２端末装置２０の制御部２６は、ＳＣ１１にて取得された第１認証情報及び第２認証情報に基づいて、荷物を第１ユーザに引き渡す処理（以下、「引渡処理」と称する）を実行し、その後制御処理を終了する。
【０１４９】
この引渡処理の具体的な処理内容については任意であるが、実施の形態３では、以下に示す処理が実行される。すなわち、まず、保管部ＤＢ２７ａに格納されている保管部情報のうち、ＳＣ１１にて取得された第１認証情報及び第２認証情報に対応する保管部情報を特定し、当該特定した保管部情報に対応する保管部２１の扉を解錠する。次いで、上記特定した保管部情報に基づいて、上記保管部２１の扉が解錠された旨を示す情報を出力部２４を介して報知すると共に、通信部２３を介して情報提供装置３０に送信する。そして、上記特定した保管部情報に関連付けて格納されている第１認証情報及び第２認証情報を保管部ＤＢ２７ａから削除する。これにより、例えば、第１ユーザが第２端末装置２０から荷物を受け取る際には、第１認証情報及び第２認証情報を取得することにより、第２端末装置２０の所望の保管部２１を自動的に解錠でき、当該保管部２１を解錠して荷物を受け取ることが可能となる。なお、例えば、引渡処理が行われた後に、引渡処理が行われた旨を示すログ情報を荷物を配送する業者が所持する端末に送信してもよい。これにより、例えば、業者はこのログ情報を第１ユーザの受領印として保管又は利用できる。
【０１５０】
このようなＳＣ２１、ＳＣ２２の処理により、第１認証情報及び第２認証情報が取得されたことを条件の少なくとも一部として、引渡処理を実行することができる。よって、引渡処理が不正に実行されることを回避でき、第２端末装置２０の保管部２１に保管されている荷物の引き渡しを行う際のセキュリティを高めることができる。
【０１５１】
（効果）
このように実施の形態３によれば、第１認証情報と第２認証情報とが取得されたことを条件の少なくとも一部として、引渡処理を実行する制御部２６を備えるので、第１認証情報及び第２認証情報が取得されたことを条件の少なくとも一部として、引渡処理を実行することができる。よって、引渡処理が不正に実行されることを回避でき、第２端末装置２０の保管部２１に保管されている荷物の引き渡しを行う際のセキュリティを高めることができる。
【０１５２】
〔実施の形態４〕
次に、実施の形態４について説明する。この実施の形態４は、情報提供システムが、第１認証情報及び第２認証情報が取得されたことを条件の少なくとも一部として、提供情報の編集を行う形態である。ただし、この実施の形態４の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１５３】
（構成）
最初に、実施の形態４に係る情報処理システムの構成について説明する。図１３は、実施の形態４に係る情報処理システムを概念的に示す図である。図１３に示すように、情報処理システム３００は、複数の第１端末装置１０と、第２端末装置２０と、保管装置５０と、情報提供装置３０とを備えており、これら複数の第１端末装置１０及び第２端末装置２０の各々と、情報提供装置３０とはネットワーク２を介して相互に通信可能に接続されている。
【０１５４】
（構成−第１端末装置）
次に、第１端末装置１０の構成について説明する。第１端末装置１０は、第１ユーザ（実施の形態４では、配送先ユーザ）によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。
【０１５５】
（構成−第２端末装置）
次に、第２端末装置２０の構成について説明する。第２端末装置２０は、第２ユーザ（実施の形態４では、荷物を配送する業者（以下、「配送業者」と称する））によって所持されている端末装置であり、第１端末装置１０と略同様に構成されており、通信部、タッチパッド、ディスプレイ、スピーカ、撮像部、制御部、及びデータ記録部を備えている（いずれも図示省略）。
【０１５６】
（構成−保管装置）
保管装置５０は、配送対象となる荷物を保管する装置である。この保管装置５０は、例えば公知の機械式の宅配ボックス等を用いて構成されており、所定位置（例えば、公共施設又は商業施設の近傍位置、配送先ユーザが住んでいる集合住宅の入口近傍位置等）に設置されており、図１３に示すように、複数の保管部５１を備えている。
【０１５７】
保管部５１は、荷物を保管するための保管手段であり、例えば機械式錠（一例として、ダイヤル錠であり、宅配業者が鍵番号を任意に設定変更することができる錠）を備える公知の宅配ボックス用の保管手段を用いて構成されており、保管装置５０の内部において幅方向又は高さ方向に沿って複数並設されている。
【０１５８】
（構成−情報提供装置）
次に、情報提供装置３０の構成について説明する。図１４は、情報提供装置３０の電気的構成を示したブロック図である。情報提供装置３０は、提供情報を第１端末装置１０に対して提供する情報提供システムであり、実施の形態１に係る情報提供装置３０と略同様に構成されており、図１４に示すように、通信部３１、制御部３２、及びデータ記録部３３を備えている。
【０１５９】
ここで、情報提供装置３０で取り扱われる第１認証情報、第２認証情報、第３認証情報、第４認証情報、対応情報、及び提供情報の詳細について説明する。
【０１６０】
まず、「第１認証情報」は、実施の形態４では、保管装置５０の保管部５１（物）に付されており、保管部５１から取得可能なバーコード情報（具体的には、保管部固有のコードを示す情報）として説明する。また、「第２認証情報」は、実施の形態４では、荷物に付されており、荷物から取得可能なバーコード情報（具体的には、荷物固有のコードを示す情報）として説明する。また、「第３認証情報」は、実施の形態４では、上記第１ユーザに対して割り当てられたバーコード情報（具体的には、第１ユーザ固有のコードを示す情報）として説明する。また、「第４認証情報」は、実施の形態４では、上記第２ユーザ側認証カードに付されており、第２ユーザ側認証カードから取得可能なバーコード情報（具体的には、第２ユーザ固有のコードを示す情報）として説明する。また、「対応情報」は、実施の形態４では、上記保管部情報（具体的には、保管部５１のＩＤ情報、保管装置５０のＩＤ情報や位置情報等）として説明する。また、「提供情報」は、実施の形態４では、保管部５１の機械式錠における錠番号を示す錠番号情報として説明する。
【０１６１】
（構成−情報提供装置−データ記録部）
また、データ記録部３３は、図１４に示すように、対応ＤＢ３３ａ、提供ＤＢ３３ｂ、及び第１端末ＤＢ３３ｃは備えている。
【０１６２】
対応ＤＢ３３ａは、実施の形態４では、第１認証情報及び対応情報を相互に関連付けて格納している。
【０１６３】
提供ＤＢ３３ｂは、実施の形態４では、第１認証情報、第２認証情報、第３認証情報、及び提供情報を相互に関連付けて格納している。
【０１６４】
第１端末ＤＢ３３ｃは、第１端末装置１０を一意に識別する端末識別情報（以下、「第１端末識別情報」と称する）を格納する第１端末識別情報格納手段であり、実施の形態４では、第２認証情報、第３認証情報、及び第１端末識別情報を相互に関連付けて格納している。
【０１６５】
（情報提供処理）
次に、このように構成された情報提供装置３０によって実行される情報提供処理について説明する。
【０１６６】
図１５は、実施の形態４に係る情報提供処理のフローチャートである。情報提供処理は、概略的には、第１端末装置１０に対して提供情報を提供する処理である。
【０１６７】
情報提供処理が起動されると、まず、図１５に示すように、ＳＤ１において情報提供装置３０の取得部３２ａは、第２端末装置２０から送信された第１認証情報、第２認証情報、第４認証情報、及び提供情報が取得されたか否かを判定する。そして、情報提供装置３０の取得部３２ａは、第１認証情報、第２認証情報、第４認証情報、及び提供情報が取得されたと判定された場合（ＳＤ１、Ｙｅｓ）にはＳＤ２に移行し、第１認証情報、第２認証情報、第４認証情報、及び提供情報が取得されたと判定されなかった場合（ＳＤ１、Ｎｏ）、ＳＤ５に移行する。
【０１６８】
ここで、第２端末装置２０において第１認証情報、第２認証情報、第４認証情報、及び提供情報を取得する方法については任意であるが、例えば、第１認証情報、第２認証情報、第４認証情報については、第２ユーザが保管装置５０の保管部５１に荷物を入れる際に、撮像部によって第１認証情報、第２認証情報、及び第４認証情報を撮像することにより取得し、提供情報については、設定される保管部５１の機械式錠の錠番号を示す情報がタッチパッドを介して入力されることにより取得する（例えば、第２ユーザである宅配業者が、荷物を預け入れた保管部５１の機械式錠に任意に設定した錠番号を、第２端末装置２０にタッチパッドを介して入力する）。
【０１６９】
ＳＤ２において情報提供装置３０の制御部３２は、ＳＤ１にて取得された第１認証情報に基づいて、対応情報を特定する。具体的には、対応ＤＢ３３ａに格納されている対応情報の中から、ＳＤ１にて取得された第１認証情報に対応する対応情報を抽出し、当該抽出した情報を特定すべき対応情報として特定する。
【０１７０】
ＳＤ３において情報提供装置３０の制御部３２は、ＳＤ１にて取得された第２認証情報に基づいて、第１端末識別情報及び第３認証情報を特定する。具体的には、第１端末ＤＢ３３ｃに格納されている第１端末識別情報及び第３認証情報の中から、ＳＤ１にて取得された第２認証情報に対応する第１端末識別情報及び第３認証情報を抽出し、当該抽出した情報を特定すべき第１端末識別情報及び第３認証情報として特定する。
【０１７１】
ＳＤ４において情報提供装置３０の制御部３２は、ＳＤ２にて特定された対応情報及びＳＤ３にて特定された第３認証情報を、ＳＤ３にて特定された第１端末識別情報に対応する第１端末装置１０に送信し、その後ＳＤ１に移行する。
【０１７２】
ＳＤ５において情報提供装置３０の取得部３２ａは、上記ＳＡ１の処理と略同様の方法で、第１認証情報のみが取得されたか否かを判定する。そして、情報提供装置３０の取得部３２ａは、第１認証情報のみが取得されたと判定された場合（ＳＤ５、Ｙｅｓ）にはＳＤ６に移行し、第１認証情報のみが取得されたと判定されなかった場合（ＳＤ５、Ｎｏ）にはＳＤ７に移行する。
【０１７３】
ＳＤ６において情報提供装置３０の制御部３２は、対応情報を第１端末装置１０又は第２端末装置２０に対して提供し、その後ＳＤ１に移行する。これにより、例えば、第１端末装置１０又は第２端末装置２０がＳＤ６にて提供された対応情報を受信した後、ディスプレイの画面上に生成された対応表示領域に当該対応情報（例えば、「保管装置ＩＤ＝２０２０、保管装置の住所＝東京都港区〇〇〇−△△△、保管部のＢＯＸ番号＝１００１」を示す保管部情報）を表示させることにより、当該対応情報を第１ユーザ又は第２ユーザに対して提示できる。
【０１７４】
ＳＤ７において情報提供装置３０の取得部３２ａは、上記ＳＡ３の処理と略同様の方法で、第２端末装置２０から第１認証情報及び第２認証情報が取得されたか否かを判定する。そして、情報提供装置３０の取得部３２ａは、第１認証情報及び第２認証情報が取得されたと判定された場合（ＳＤ７、Ｙｅｓ）にはＳＤ８に移行し、第１認証情報及び第２認証情報が取得されたと判定されなかった場合（ＳＤ７、Ｎｏ）にはＳＤ１０に移行する。
【０１７５】
ＳＤ８において情報提供装置３０の取得部３２ａは、第２端末装置２０から編集対象提供情報が取得されたか否かを判定する。
【０１７６】
ここで、第２端末装置２０から編集対象提供情報を情報提供装置３０に送信する方法については任意であるが、例えば、第２端末装置２０のディスプレイの画面上に生成された編集表示領域に、タッチパッドを介して入力された錠番号情報を表示し、タッチパッドを介して所定操作が行われることにより当該錠番号情報を編集対象提供情報として特定して送信してもよい。
【０１７７】
そして、情報提供装置３０の取得部３２ａは、編集対象提供情報が取得されたと判定されるまで待機し（ＳＤ８、Ｎｏ）、編集対象提供情報が取得されたと判定された場合（ＳＤ８、Ｙｅｓ）にはＳＤ９に移行する。なお、第２端末装置２０において編集対象提供情報を送信する方法については任意であるが、実施の形態４では、第２端末装置２０のタッチパッドを介して入力された錠番号を示す情報を編集対象提供情報とし、ＳＤ１において第２端末装置２０から送信された第１認証情報及び第２認証情報を当該編集対象提供情報に付加したものを送信する。
【０１７８】
ＳＤ９において情報提供装置３０の編集部３２ｂは、提供情報の編集を実行し、その後ＳＤ１に移行する。
【０１７９】
この提供情報の編集方法については任意であるが、実施の形態４では、提供ＤＢ３３ｂに格納されている提供情報のうち、ＳＤ８にて取得された編集対象提供情報に付加された第１認証情報及び第２認証情報に対応する提供情報を特定し、当該特定してから所定時間経過後に（又は当該特定後すぐに）ＳＤ８にて取得された編集対象提供情報を当該特定した提供情報に置き換えて格納することにより、編集する。例えば、編集対象提供情報（錠番号情報）＝１２３４であり、第１認証情報に対応する提供情報（錠番号情報）＝９８７６である場合には、第１認証情報に対応する提供情報＝１２３４に置き換えて提供ＤＢ３３ｂに格納される。なお、提供ＤＢ３３ｂに格納されている提供情報のうち、ＳＤ８にて取得された編集対象提供情報に付加された第１認証情報及び第２認証情報に対応する提供情報を特定できなかった場合には、認証できなかったものとして、ＳＤ１に移行させる。
【０１８０】
このようなＳＤ７からＳＤ９の処理により、第１認証情報及び第２認証情報が取得されたことを条件の少なくとも一部として、第２端末装置２０を介して提供情報の編集を行うことができる。よって、提供情報が不正に編集されることを回避でき、当該編集を行う際のセキュリティを高めることが可能となる。
【０１８１】
ＳＤ１０において情報提供装置３０の取得部３２ａは、上記ＳＡ７の処理と略同様の方法で、第１端末装置１０から第１認証情報及び第３認証情報が取得されたか否かを判定する。そして、情報提供装置３０の取得部３２ａは、第１認証情報及び第３認証情報が取得されたと判定されなかった場合（ＳＤ１０、Ｎｏ）にはＳＤ１に移行し、第１認証情報及び第３認証情報が取得されたと判定された場合（ＳＤ１０、Ｙｅｓ）にはＳＤ１１に移行する。
【０１８２】
ＳＤ１１において情報提供装置３０の提供部３２ｃは、提供情報を第１端末装置１０に対して提供する。その後、ＳＤ１に移行して、以降同様に、ＳＤ１からＳＤ１１の処理を繰り返す。
【０１８３】
また、この提供情報の提供方法については任意であるが、実施の形態４では、提供ＤＢ３３ｂに格納されている提供情報のうち、ＳＤ１０にて取得された第１認証情報及び第３認証情報に対応する提供情報を抽出し、ＳＤ１０にて取得された第１認証情報又は第３認証情報に付加された第１端末識別情報を当該抽出した提供情報に付加したものを送信することにより、提供する。なお、提供ＤＢ３３ｂに格納されている提供情報のうち、ＳＤ１０にて取得された第１認証情報及び第３認証情報に対応する提供情報を抽出できなかった場合には、認証できなかったものとして、ＳＤ１に移行させる。
【０１８４】
なお、ＳＤ１１にて提供情報が第１端末装置１０に対して提供された場合には、例えば、第１端末装置１０の制御部３２は、当該提供情報を受信した後、ディスプレイの画面上に提供表示領域を生成し、当該生成した提供表示領域に当該提供情報（例えば、「錠番号＝１２３４」を示す錠番号情報）を表示させてもよい。これにより、例えば、第１ユーザが保管装置５０から荷物を受け取る際には、第１認証情報及び第３認証情報を取得することにより、提供情報を第１ユーザに対して提示できる。よって、提供情報に基づいて保管装置５０の所望の保管部５１の機械錠を解錠操作することにより、当該保管部５１を解錠して荷物を受け取ることが可能となる。
【０１８５】
このようなＳＤ１０からＳＤ１１の処理により、第１認証情報及び第２認証情報が取得されたことを条件の少なくとも一部として、提供情報を第１端末装置１０に対して提供することができる。よって、提供情報が不正に提供されることを回避でき、当該提供を行う際のセキュリティを高めることができる。
【０１８６】
（効果）
このように実施の形態４によれば、取得部３２ａによって第１認証情報と第２認証情報とが取得されたことを条件の少なくとも一部として、提供情報の編集を端末装置を介して行うことを可能にする編集部３２ｂを備えるので、第１認証情報及び第２認証情報が取得されたことを条件の少なくとも一部として、提供情報の編集を行うことができる。よって、提供情報が不正に編集されることを回避でき、当該編集を行う際のセキュリティを高めることが可能となる。また、第１認証情報が、単独で人にとって意味をなす対応情報を提供することを可能にする情報であるので、上記編集を行う際の認証に用いられること以外の様々な用途に利用することができる。よって、従来の認証情報に比べて、第１認証情報の使用性を高めることができる。
【０１８７】
また、提供部３２ｃが、取得部３２ａによって第１認証情報及び第３認証情報が所定タイミング、所定順序、又は所定回数で取得されたか否かを条件の少なくとも一部として、提供情報を提供するので、当該提供を行う際のセキュリティを高めやすくなるため、情報提供装置３０の信頼性を一層高めることができる。
【０１８８】
〔実施の形態５〕
次に、実施の形態５について説明する。この実施の形態５は、情報提供システムが、第１認証情報及び第２認証情報が取得されたことを条件の少なくとも一部として、後述する入場処理を行う形態である。ただし、この実施の形態５の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１８９】
（構成）
最初に、実施の形態５に係る情報処理システムの構成について説明する。図１６は、実施の形態５に係る情報処理システムを概念的に示す図である。図１６に示すように、情報処理システム４００は、複数の第１端末装置１０と、第２端末装置２０と、情報提供装置３０とを備えており、これら複数の第１端末装置１０及び第２端末装置２０の各々と、情報提供装置３０とはネットワーク２を介して相互に通信可能に接続されている。
【０１９０】
（構成−第１端末装置）
次に、第１端末装置１０の構成について説明する。第１端末装置１０は、第１ユーザ（実施の形態５では、イベント（例えば、音楽イベント、スポーツイベント等）のチケットを購入したユーザ（以下、「チケット購入ユーザ」と称する））によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。
【０１９１】
（構成−第２端末装置）
次に、第２端末装置２０の構成について説明する。第２端末装置２０は、第２ユーザ（実施の形態５では、イベントの運営会社）によって管理されている端末装置である。この第２端末装置２０は、所定位置（例えば、イベントの会場の入口等）に設けられており、例えば公知のリーダ端末等を用いて構成され、通信部、撮像部、制御部、及びデータ記録部を備えている（いずれも図示省略）。
【０１９２】
（構成−第２端末装置−通信部）
通信部は、情報提供装置３０との相互間で通信を行うための通信手段であり、有線通信網や移動体無線通信網を用いて通信を行う公知の通信手段を用いて構成されている。
【０１９３】
（構成−第２端末装置−撮像部）
撮像部は、画像を撮像する撮像手段であり、例えば公知の端末用カメラ等を用いて構成されている。
【０１９４】
（構成−第２端末装置−出力部）
出力部は、制御部の制御に基づいて各種の情報を出力する出力手段であり、例えば液晶ディスプレイや有機ＥＬディスプレイの如きフラットパネルディスプレイ等の公知の表示手段やスピーカ等の公知の音声出力手段等を用いて構成されている。
【０１９５】
（構成−第２端末装置−制御部）
制御部は、第２端末装置２０を制御する制御手段である。
【０１９６】
（構成−第２端末装置−データ記録部）
データ記録部は、第２端末装置２０の動作に必要なプログラム及び各種のデータを記録する記録手段である。
【０１９７】
（構成−情報提供装置）
次に、情報提供装置３０の構成について説明する。図１７は、情報提供装置３０の電気的構成を示したブロック図である。情報提供装置３０は、各種の情報を第１端末装置１０又は第２端末装置２０に対して提供する情報提供システムであり、実施の形態１に係る情報提供装置３０と略同様に構成されており、図１７に示すように、通信部３１、制御部３２、及びデータ記録部３３を備えている（ただし、制御部３２の編集部３２ｂ及び提供部３２ｃは省略されている）。
【０１９８】
（構成−情報提供装置−データ記録部）
また、データ記録部３３は、図１７に示すように、チケットＤＢ３３ｄは備えている。
【０１９９】
チケットＤＢ３３ｄは、上記チケットを示すチケット情報を格納するチケット情報格納手段であり、実施の形態５では、第１認証情報、第２認証情報、チケット情報、及び第１端末識別情報を相互に関連付けて格納している。なお、チケットＤＢ３３ｄに格納される情報の取得方法については、例えば、外部装置から当該情報を受信することにより取得してもよく、又は図示しない操作部を介して当該情報が入力されることにより取得してもよい（なお、後述する予約ＤＢ３３ｅについても同様とする）。また、チケットＤＢ３３ｄに格納されている各種の情報は、継続して利用できるものであってもよく、又は所定のタイミング（例えば、後述する制御処理が終了したタイミング）で利用できなくなるものであってもよい（なお、後述する予約ＤＢ３３ｅ、後述する入室許可ＤＢ３３ｆについても同様とする）。また、チケットＤＢ３３ｄに格納されている各種の情報は、所定のタイミングで到来した際に更新されてもよく、例えば、編集（追加、変更、削除等）されたチケット情報が外部装置又は操作部を介して取得されたタイミングで、対応する編集前のチケット情報を当該編集されたチケット情報に置き換えて格納してもよい（なお、後述する予約ＤＢ３３ｅ、後述する入室許可ＤＢ３３ｆについても同様とする）。
【０２００】
ここで、チケットＤＢ３３ｄに格納される第１認証情報、第２認証情報、及びチケット情報の詳細について説明する。
【０２０１】
まず、「第１認証情報」は、実施の形態５では、第１ユーザがチケットを購入した際に作成されたバーコード情報（具体的には、チケット固有のコードを示す情報）として説明する。また、「第２認証情報」は、実施の形態５では、第１認証情報に紐づけられたバーコード情報（具体的には、第１認証情報の作成と同時に作成されるセキュリティコードを示す情報）として説明する。また、「チケット情報」は、実施の形態５では、イベント内容（例えば、イベントＩＤ、イベントの名称、イベントの開催場所、イベントの開催日時等）を示す情報として説明する。
【０２０２】
（制御処理）
次に、このように構成された情報処理システム４００によって実行される制御処理について説明する。
【０２０３】
図１８は、実施の形態５に係る情報提供装置３０に関する制御処理のフローチャートである。図１９は、実施の形態５に係る第１端末装置１０に関する制御処理のフローチャートである。制御処理は、概略的には、第１端末装置１０、第２端末装置２０、及び情報提供装置３０を制御するための処理である。この制御処理を実行するタイミングは任意であるが、実施の形態５では、第１端末装置１０、第２端末装置２０、及び情報提供装置３０の電源が投入された後に起動されるものとして説明する。
【０２０４】
制御処理が起動されると、まず、図１８に示すように、ＳＥ１１において情報提供装置３０の制御部３２は、第１認証情報を送信するタイミング（以下、「第１送信タイミング」と称する）が到来したか否かを判定する。
【０２０５】
この第１送信タイミングが到来したか否かの判定方法については任意であるが、実施の形態５では、第１ユーザがチケットを購入した後に、外部装置又は操作部を介して第１認証情報、チケット情報、及び第１端末識別情報が取得されてチケットＤＢ３３ｄに格納されてから（このときに、第２認証情報が作成されて格納される）所定時間が経過したか否かに基づいて判定し、上記所定時間が経過した場合には第１送信タイミングが到来したと判定し、上記所定時間が経過していない場合には第１送信タイミングが到来していないと判定する。
【０２０６】
そして、情報提供装置３０の制御部３２は、第１送信タイミングが到来したと判定されるまで待機し（ＳＥ１１、Ｎｏ）、第１送信タイミングが到来したと判定された場合（ＳＥ１１、Ｙｅｓ）にはＳＥ１２に移行する。
【０２０７】
ＳＥ１２において情報提供装置３０の制御部３２は、第１認証情報を第１端末装置１０に送信して、ＳＥ１３に移行する。具体的には、ＳＥ１１にて処理の対象となった第１認証情報に、ＳＥ１１にて処理の対象となった第１端末識別情報を付加したものを送信する。一例として、第１ユーザがチケットを購入した直後に、上記処理を経て、これらの情報を送信する。
【０２０８】
次に、図１９に示すように、ＳＥ２１において第１端末装置１０の制御部は、第１認証情報が受信されたか否かを判定する。そして、第１端末装置１０の制御部は、第１認証情報が受信されるまで待機し（ＳＥ２１、Ｎｏ）、第１認証情報が受信されたと判定された場合（ＳＥ２１、Ｙｅｓ）にはＳＥ２２に移行する。
【０２０９】
図１８に戻り、ＳＥ１３において情報提供装置３０の制御部３２は、第２認証情報を送信するタイミング（以下、「第２送信タイミング」と称する）が到来したか否かを判定する。
【０２１０】
この第２送信タイミングが到来したか否かの判定方法については任意であるが、実施の形態５では、チケットＤＢ３３ｄに格納されているチケット情報のうち、イベントの開催日時又はそれよりも所定時間前（一例として３０分前）の時刻が到来しているチケット情報が存在するか否かに基づいて判定し、上記チケット情報が存在する場合には第２送信タイミングが到来したと判定し、上記チケット情報が存在しない場合には第２送信タイミングが到来していないと判定する。
【０２１１】
そして、情報提供装置３０の制御部３２は、第２送信タイミングが到来したと判定されるまで待機し（ＳＥ１３、Ｎｏ）、第２送信タイミングが到来したと判定された場合（ＳＥ１３、Ｙｅｓ）にはＳＥ１４に移行する。
【０２１２】
ＳＥ１４において情報提供装置３０の制御部３２は、第２認証情報を第１端末装置１０に送信して、ＳＥ１５に移行する。具体的には、ＳＥ１３にて存在すると判定されたチケット情報に対応する第２認証情報に、チケットＤＢ３３ｄにおいて当該第２認証情報と関連付けて格納された第１端末識別情報を付加したもの送信する。
【０２１３】
次に、図１９に示すように、ＳＥ２２において第１端末装置１０の制御部は、第２認証情報が受信されたか否かを判定する。そして、第１端末装置１０の制御部は、第２認証情報が受信されるまで待機し（ＳＥ２２、Ｎｏ）、第２認証情報が受信されたと判定された場合（ＳＥ２２、Ｙｅｓ）にはＳＥ２３に移行する。
【０２１４】
ＳＥ２３において第１端末装置１０の制御部は、上記ＳＣ１２の処理と略同様の方法で、表示タイミングが到来したか否かを判定する。ここで、「表示タイミング」とは、第１ユーザがイベントの会場に入場する際に、認証に用いられる第１認証情報及び第２認証情報を表示するタイミングを意味する。そして、第１端末装置１０の制御部は、表示タイミングが到来するまで待機し（ＳＥ２３、Ｎｏ）、表示タイミングが到来したと判定された場合（ＳＥ２３、Ｙｅｓ）にはＳＥ２４に移行する。
【０２１５】
ＳＥ２４において第１端末装置１０の制御部は、上記ＳＣ１３の処理と略同様の方法で、ＳＥ２１、ＳＥ２２にて受信された第１認証情報及び第２認証情報をディスプレイに表示させ、その後制御処理を終了する。
【０２１６】
図１８に戻り、ＳＥ１５において情報提供装置３０の取得部３２ａは、第１認証情報及び第２認証情報が取得されたか否かを判定する。
【０２１７】
この第１認証情報及び第２認証情報の取得方法については任意であるが、例えば、ＳＥ２４においてディスプレイに表示された第１認証情報及び第２認証情報を、第１ユーザが、イベントの会場の入場口に設定されているリーダ端末である第２端末装置２０にかざすことにより、情報提供装置３０に送信する。一方、取得部３２ａは、第２端末装置２０から送信された第１認証情報及び第２認証情報が受信されたかを監視しており、上記第１認証情報及び第２認証情報が受信された場合には第１認証情報及び第２認証情報が取得されたと判定し、上記第１認証情報及び第２認証情報が受信されていない場合には第１認証情報及び第２認証情報が取得されていないと判定する。
【０２１８】
そして、情報提供装置３０の取得部３２ａは、第１認証情報及び第２認証情報が取得されるまで待機し（ＳＥ１５、Ｎｏ）、第１認証情報及び第２認証情報が取得されたと判定された場合（ＳＥ１５、Ｙｅｓ）にはＳＥ１６に移行する。
【０２１９】
ＳＥ１６において情報提供装置３０の制御部３２は、ＳＥ１５にて取得された第１認証情報及び第２認証情報に基づいて、第１ユーザに対するイベントの会場への入場に関する処理（以下、「入場処理」と称する）を実行し、その後制御処理を終了する。
【０２２０】
この入場処理の具体的な処理内容については任意であるが、実施の形態５では、以下に示す処理が実行される。すなわち、チケットＤＢ３３ｄに格納されているチケット情報の中に、ＳＥ１５にて取得された第１認証情報及び第２認証情報に対応するチケット情報が存在するか否かに基づいて入場の権限の有無を判定し、上記チケット情報が存在する場合には入場の権限があると判定し、上記チケット情報が存在しない場合には入場の権限がないと判定する。そして、上記判定結果を示す情報を第２端末装置２０に送信して、当該第２端末装置２０の出力部に対して当該情報を出力させる。ただし、これに限らず、例えば、ＳＥ１５にて第１認証情報等を取得した先の第１端末装置１０において上記判定結果を示す情報を報知する処理を行ってもよい。一例として、入場の権限がないと判定された場合には、第１端末装置１０の電源をＯＦＦに切り替え、撮像部を起動不可にし、又はスピーカからアラーム音を出力させてもよい。このような入場処理により、上記判定結果を示す情報を第１ユーザ又は第２ユーザに報知することが可能となる。
【０２２１】
このような制御処理により、第１認証情報及び第２認証情報が取得されたことを条件の少なくとも一部として、入場処理を実行することができる。よって、入場処理が不正に実行されることを回避でき、イベントの入場確認を行う際のセキュリティを高めることができる。
【０２２２】
（効果）
このように実施の形態５によれば、第１認証情報と第２認証情報とが取得されたことを条件の少なくとも一部として、入場処理を実行する制御部３２を備えるので、第１認証情報及び第２認証情報が取得されたことを条件の少なくとも一部として、入場処理を実行することができる。よって、入場処理が不正に実行されることを回避でき、イベントの入場確認を行う際のセキュリティを高めることができる。
【０２２３】
〔実施の形態６〕
次に、実施の形態６について説明する。この実施の形態６は、情報提供システムが、第１認証情報及び第２認証情報が取得されたことを条件の少なくとも一部として、後述する利用処理を行う形態である。ただし、この実施の形態６の構成は、特記する場合を除いて、実施の形態５の構成と略同一であり、実施の形態５の構成と略同一の構成についてはこの実施の形態５で用いたものと同一の符号及び／又は名称を必要に応じて付して、その説明を省略する。
【０２２４】
（構成）
最初に、実施の形態６に係る情報処理システムの構成について説明する。図２０は、実施の形態６に係る情報処理システムを概念的に示す図である。図２０に示すように、情報処理システム５００は、複数の第１端末装置１０と、第２端末装置２０と、情報提供装置３０とを備えており、これら複数の第１端末装置１０及び第２端末装置２０の各々と、情報提供装置３０とはネットワーク２を介して相互に通信可能に接続されている。
【０２２５】
（構成−第１端末装置）
次に、第１端末装置１０の構成について説明する。第１端末装置１０は、第１ユーザ（実施の形態６では、レンタカー会社の顧客）によって所持されている端末装置であり、実施の形態５に係る第１端末装置１０と略同様に構成されており、通信部、タッチパッド、ディスプレイ、スピーカ、撮像部、制御部、及びデータ記録部を備えている（いずれも図示省略）。
【０２２６】
（構成−第２端末装置）
次に、第２端末装置２０の構成について説明する。第２端末装置２０は、第２ユーザ（実施の形態６では、レンタカー会社）によって管理されている端末装置である。この第２端末装置２０は、所定位置（例えば、レンタカー等において、外部からの情報を読み取り可能な装置）に設けられており、実施の形態５に係る第２端末装置２０と略同様に構成され、通信部、撮像部、制御部、及びデータ記録部を備えている（いずれも図示省略）。
【０２２７】
（構成−情報提供装置）
次に、情報提供装置３０の構成について説明する。図２１は、情報提供装置３０の電気的構成を示したブロック図である。情報提供装置３０は、各種の情報を第１端末装置１０又は第２端末装置２０に対して提供する情報提供システムであり、実施の形態５に係る情報提供装置３０と略同様に構成されており、図２１に示すように、通信部３１、制御部３２、及びデータ記録部３３を備えている。
【０２２８】
（構成−情報提供装置−データ記録部）
また、データ記録部３３は、図２１に示すように、予約ＤＢ３３ｅは備えている。
【０２２９】
予約ＤＢ３３ｅは、レンタカーの予約内容を示す予約情報を格納する予約情報格納手段であり、実施の形態６では、第１認証情報、第２認証情報、予約情報、及び第１端末識別情報を相互に関連付けて格納している。
【０２３０】
ここで、予約ＤＢ３３ｅに格納される第１認証情報、第２認証情報、及び予約情報の詳細について説明する。
【０２３１】
まず、「第１認証情報」は、実施の形態６では、第１ユーザがレンタカー会社で会員登録した際に作成されたバーコード情報（具体的には、会員固有のコードを示す情報）として説明する。また、「第２認証情報」は、実施の形態６では、第１認証情報に紐づけられたバーコード情報（具体的には、第１認証情報の作成と同時に作成されるセキュリティコードを示す情報）として説明する。また、「予約情報」は、実施の形態６では、レンタカーの予約内容（例えば、レンタカーＩＤ、レンタル期間等）を示す情報として説明する。
【０２３２】
（制御処理）
次に、このように構成された情報処理システム５００によって実行される制御処理について説明する。
【０２３３】
図２２は、実施の形態６に係る情報提供装置３０に関する制御処理のフローチャートである。図２３は、実施の形態６に係る第１端末装置１０に関する制御処理のフローチャートである。なお、実施の形態６に係る制御処理における図２２、図２３のＳＦ１２、ＳＦ１４、ＳＦ１５、ＳＦ２１、ＳＦ２２、及びＳＦ２４は、実施の形態５に係る制御処理における図１８、図１９のＳＥ１２、ＳＥ１４、ＳＥ１５、ＳＥ２１、ＳＥ２２、ＳＥ２４とそれぞれ同様であるので、説明を省略する。
【０２３４】
制御処理が起動されると、まず、図２２に示すように、ＳＦ１１において情報提供装置３０の制御部３２は、第１認証情報を送信する第１送信タイミングが到来したか否かを判定する。
【０２３５】
この第１送信タイミングが到来したか否かの判定方法については任意であるが、実施の形態６では、第１ユーザがレンタル会社で会員登録した後に作成又は取得された第１認証情報、第２認証情報、及び第１端末識別情報が予約ＤＢ３３ｅに格納されてから所定時間が経過したか否かに基づいて判定し、上記所定時間が経過した場合には第１送信タイミングが到来したと判定し、上記所定時間が経過していない場合には第１送信タイミングが到来していないと判定する。
【０２３６】
そして、情報提供装置３０の制御部３２は、第１送信タイミングが到来したと判定されるまで待機し（ＳＦ１１、Ｎｏ）、第１送信タイミングが到来したと判定された場合（ＳＦ１１、Ｙｅｓ）にはＳＦ１２に移行する。
【０２３７】
また、ＳＦ１３において情報提供装置３０の制御部３２は、第２認証情報を送信する第２送信タイミングが到来したか否かを判定する。
【０２３８】
この第２送信タイミングが到来したか否かの判定方法については任意であるが、実施の形態６では、予約ＤＢ３３ｅに格納された予約情報（具体的には、第１ユーザがレンタカーの予約をした後に予約ＤＢ３３ｅに格納された予約情報）のうち、レンタル期間又はそれよりも所定時間前の時刻が到来している予約情報が存在するか否かに基づいて判定し、上記予約情報が存在する場合には第２送信タイミングが到来したと判定し、上記予約情報が存在しない場合には第２送信タイミングが到来していないと判定する。
【０２３９】
そして、情報提供装置３０の制御部３２は、第２送信タイミングが到来したと判定されるまで待機し（ＳＦ１３、Ｎｏ）、第２送信タイミングが到来したと判定された場合（ＳＦ１３、Ｙｅｓ）にはＳＦ１４に移行する。
【０２４０】
また、図２３に示すように、ＳＦ２３において第１端末装置１０の制御部は、表示タイミングが到来したか否かを判定する。ここで、「表示タイミング」とは、第１ユーザがレンタカーを利用する際に、認証に用いられる第１認証情報及び第２認証情報を表示するタイミングを意味する。そして、第１端末装置１０の制御部は、表示タイミングが到来するまで待機し（ＳＦ２３、Ｎｏ）、表示タイミングが到来したと判定された場合（ＳＦ２３、Ｙｅｓ）にはＳＦ２４に移行する。
【０２４１】
図２２に戻り、また、ＳＦ１６において情報提供装置３０の制御部３２は、ＳＦ１５にて取得された第１認証情報及び第２認証情報に基づいて、第１ユーザがレンタカーを利用するための処理（以下、「利用処理」と称する）を実行し、その後制御処理を終了する。
【０２４２】
この利用処理の具体的な処理内容については任意であるが、実施の形態６では、以下に示す処理が実行される。すなわち、予約ＤＢ３３ｅに格納されている予約情報の中に、ＳＦ１５にて取得された第１認証情報及び第２認証情報に対応する予約情報が存在するか否かに基づいて利用の権限の有無を判定し、上記利用情報が存在する場合には利用の権限があると判定し、上記利用情報が存在しない場合には利用の権限がないと判定する。そして、上記判定結果を示す情報を第２端末装置２０に送信して、当該第２端末装置２０の出力部に対して当該情報を出力させる。ただし、これに限らず、例えば、ＳＦ１５にて第１認証情報等を取得した先の第１端末装置１０において上記判定結果を示す情報を報知する処理を行ってもよい。一例として、入場の権限がないと判定された場合には、第１端末装置１０の電源をＯＦＦに切り替え、撮像部を起動不可にし、又はスピーカからアラーム音を出力させてもよい。このような利用処理により、上記判定結果を示す情報を第１ユーザに報知することが可能となる。
【０２４３】
このような制御処理により、第１認証情報及び第２認証情報が取得されたことを条件の少なくとも一部として、利用処理を実行することができる。よって、利用処理が不正に実行されることを回避でき、レンタカーの利用確認を行う際のセキュリティを高めることができる。
【０２４４】
（効果）
このように実施の形態６によれば、第１認証情報と第２認証情報とが取得されたことを条件の少なくとも一部として、利用処理を実行する制御部３２を備えるので、第１認証情報及び第２認証情報が取得されたことを条件の少なくとも一部として、利用処理を実行することができる。よって、利用処理が不正に実行されることを回避でき、レンタカーの利用確認を行う際のセキュリティを高めることができる。
【０２４５】
〔実施の形態７〕
次に、実施の形態７について説明する。この実施の形態７は、情報提供システムが、第１認証情報及び第２認証情報が取得されたことを条件の少なくとも一部として、後述する入室処理を行う形態である。ただし、この実施の形態７の構成は、特記する場合を除いて、実施の形態５の構成と略同一であり、実施の形態５の構成と略同一の構成についてはこの実施の形態５で用いたものと同一の符号及び／又は名称を必要に応じて付して、その説明を省略する。
【０２４６】
（構成）
最初に、実施の形態７に係る情報処理システムの構成について説明する。図２４は、実施の形態７に係る情報処理システムを概念的に示す図である。図２４に示すように、情報処理システム６００は、複数の第１端末装置１０と、第２端末装置２０と、情報提供装置３０とを備えており、これら複数の第１端末装置１０及び第２端末装置２０の各々と、情報提供装置３０とはネットワーク２を介して相互に通信可能に接続されている。
【０２４７】
（構成−第１端末装置）
次に、第１端末装置１０の構成について説明する。第１端末装置１０は、第１ユーザ（実施の形態７では、不動産会社の社員）によって所持されている端末装置であり、実施の形態５に係る第１端末装置１０と略同様に構成されており、通信部、タッチパッド、ディスプレイ、スピーカ、撮像部、制御部、及びデータ記録部を備えている（いずれも図示省略）。
【０２４８】
（構成−第２端末装置）
次に、第２端末装置２０の構成について説明する。第２端末装置２０は、第２ユーザ（実施の形態７では、不動産会社）によって管理されている端末装置である。この第２端末装置２０は、所定位置（例えば、不動産会社が管理している物件（一例として、マンション等）の玄関口等）に設けられており、実施の形態５に係る第２端末装置２０と略同様に構成され、通信部、撮像部、制御部、及びデータ記録部を備えている（いずれも図示省略）。
【０２４９】
（構成−情報提供装置）
次に、情報提供装置３０の構成について説明する。図２５は、情報提供装置３０の電気的構成を示したブロック図である。情報提供装置３０は、各種の情報を第１端末装置１０又は第２端末装置２０に対して提供する情報提供システムである。実施の形態５に係る情報提供装置３０と略同様に構成されており、図２５に示すように、通信部３１、制御部３２、及びデータ記録部３３を備えている。
【０２５０】
（構成−情報提供装置−データ記録部）
また、データ記録部３３は、図２５に示すように、入室許可ＤＢ３３ｆは備えている。
【０２５１】
入室許可ＤＢ３３ｆは、不動産会社が管理している物件（以下、「管理物件」と称する）の入室許可を示す入室許可情報を格納する入室許可情報格納手段であり、実施の形態７では、第１認証情報、第２認証情報、入室許可情報、及び第１端末識別情報を相互に関連付けて格納している。
【０２５２】
ここで、入室許可ＤＢ３３ｆに格納される第１認証情報、第２認証情報、及び入室許可情報の詳細について説明する。
【０２５３】
まず、「第１認証情報」は、実施の形態７では、第１ユーザが所持している認証カードに付されており、認証カードから取得可能なバーコード情報（具体的には、第１ユーザ固有のコードを示す情報）として説明する。また、「第２認証情報」は、実施の形態７では、管理物件に対して割り当てられたバーコード情報（具体的には、管理物件固有のコードを示す情報）として説明する。また、「入室許可情報」は、実施の形態７では、入室許可を示す情報として説明する。
【０２５４】
（制御処理）
次に、このように構成された情報処理システム６００によって実行される制御処理について説明する。図２６は、実施の形態７に係る情報提供装置３０に関する制御処理のフローチャートである。図２７は、実施の形態７に係る第１端末装置１０に関する制御処理のフローチャートである。ここでは、第１ユーザが不動産会社から離れた場所にいる際に、管理物件の視察（一例として、内見等）に行くことが決まった場合に、第１ユーザが管理物件に入室可能となるように処理を行う例について説明する。
【０２５５】
制御処理が起動されると、まず、図２６に示すように、ＳＧ１１において情報提供装置３０の制御部３２は、第２認証情報を送信するタイミング（以下、「送信タイミング」と称する）が到来したか否かを判定する。
【０２５６】
この送信タイミングが到来したか否かの判定方法については任意であるが、実施の形態７では、当該第１ユーザに対応する第１認証情報、当該管理物件に対応する第２認証情報、入室許可情報、及び第１端末識別情報が入室許可ＤＢ３３ｆに格納されてから所定時間が経過したか否かに基づいて判定し（一例として、第１ユーザである不動産会社の社員が特定の管理物件の内見を行うことが決まった後において、不動産会社の管理者が、当該第１ユーザに対応する第１認証情報、当該管理物件に対応する第２認証情報、入室許可情報、及び第１端末識別情報を相互に関連付けて入室許可ＤＢ３３ｆに格納した直後のタイミングであるか否かを判定し）、送信タイミングが到来したと判定し、上記所定時間が経過していない場合には送信タイミングが到来していないと判定する。
【０２５７】
そして、情報提供装置３０の制御部３２は、送信タイミングが到来したと判定されるまで待機し（ＳＧ１１、Ｎｏ）、送信タイミングが到来したと判定された場合（ＳＧ１１、Ｙｅｓ）にはＳＧ１２に移行する。
【０２５８】
ＳＧ１２において情報提供装置３０の制御部３２は、第２認証情報を第１端末装置１０に送信して、ＳＧ１３に移行する。具体的には、ＳＧ１１にて処理対象となった第２認証情報に、ＳＥ１１にて処理対象となった第１端末識別情報を付加したもの送信する。
【０２５９】
次に、図２７に示すように、ＳＧ２１において第１端末装置１０の制御部は、第２認証情報が受信されたか否かを判定する。そして、第２端末装置２０の制御部は、第２認証情報が受信されるまで待機し（ＳＧ２１、Ｎｏ）、第２認証情報が受信されたと判定された場合（ＳＧ２１、Ｙｅｓ）にはＳＧ２２に移行する。
【０２６０】
ＳＧ２２において第１端末装置１０の制御部は、上記ＳＣ１２の処理と略同様の方法で、表示タイミングが到来したか否かを判定する。ここで、「表示タイミング」とは、第１ユーザが管理物件に入室する際に、認証に用いられる第１認証情報及び第２認証情報を表示するタイミングを意味する。そして、第１端末装置１０の制御部は、表示タイミングが到来するまで待機し（ＳＧ２２、Ｎｏ）、表示タイミングが到来したと判定された場合（ＳＧ２２、Ｙｅｓ）にはＳＧ２３に移行する。
【０２６１】
ＳＧ２３において第１端末装置１０の制御部は、上記ＳＣ１３の処理と略同様の方法で、所定方法で取得された第１認証情報（例えば、データ記録部又は撮像部にて取得された第１認証情報）とＳＧ２１にて受信された第２認証情報とをディスプレイに表示させ、その後制御処理を終了する。
【０２６２】
図２６に戻り、ＳＧ１３において情報提供装置３０の取得部３２ａは、上記ＳＥ１５の処理と略同様の方法で、第１認証情報及び第２認証情報が取得されたか否かを判定する。そして、情報提供装置３０の取得部３２ａは、第１認証情報及び第２認証情報が取得されるまで待機し（ＳＧ１３、Ｎｏ）、第１認証情報及び第２認証情報が取得されたと判定された場合（ＳＧ１３、Ｙｅｓ）にはＳＧ１４に移行する。
【０２６３】
ＳＧ１４において情報提供装置３０の制御部３２は、ＳＧ１３にて取得された第１認証情報及び第２認証情報に基づいて、第１ユーザが管理物件に入室するための処理（以下、「入室処理」と称する）を実行し、その後制御処理を終了する。
【０２６４】
この入室処理の具体的な処理内容については任意であるが、実施の形態７では、以下に示す処理が実行される。すなわち、入室許可ＤＢ３３ｆに格納されている入室許可情報の中に、ＳＧ１３にて取得された第１認証情報及び第２認証情報に対応する入室許可情報が存在するか否かに基づいて入室の権限の有無を判定し、上記入室許可情報が存在する場合には入室の権限があると判定し、上記入室許可情報が存在しない場合には入室の権限がないと判定する。ここで、上記入室の権限があると判定された場合には、第２端末装置２０を介して管理物件の玄関扉に取り付けられた電気錠を解錠させることで、第１ユーザが管理物件に入室できる。一方、上記入室の権限がないと判定された場合には、その旨を示す情報を第１端末装置１０又は第２端末装置２０に送信して第１端末装置１０のディスプレイ又は第２端末装置２０の出力部によって出力させることで、当該情報を第１ユーザに対して報知できる。
【０２６５】
このような制御処理により、第１認証情報及び第２認証情報が取得されたことを条件の少なくとも一部として、入室処理を実行することができる。よって、入室処理が不正に実行されることを回避でき、管理物件の入室確認を行う際のセキュリティを高めることができる。なお、一層セキュリティを高めるために、第２認証情報を第１ユーザによって変えてもよい。例えば、管理物件Ｘの内見を行う場合、第１ユーザＡに送られる第２認証情報と、第１ユーザＢに送られる第２認証情報を変えることで、仮に第１ユーザＢが第１ユーザＡに送られた第２認証情報を何らかの方法で不正に取得した場合でも、当該第１ユーザＢに送られる第２認証情報を取得しない限り、管理物件Ｘに入室することができないようにしてもよい。
【０２６６】
（効果）
このように実施の形態７によれば、第１認証情報と第２認証情報とが取得されたことを条件の少なくとも一部として、入室処理を実行する制御部３２を備えるので、第１認証情報及び第２認証情報が取得されたことを条件の少なくとも一部として、入室処理を実行することができる。よって、入室処理が不正に実行されることを回避でき、管理物件の入室確認を行う際のセキュリティを高めることができる。
【０２６７】
〔実施の形態８〕
次に、実施の形態８に係る情報提供システムについて説明する。この実施の形態８は、提供情報が後述のオーケー情報又はエラー情報であり、情報提供システムが第１認証情報及び第２認証情報が取得されたことを条件の少なくとも一部として、対応情報の編集を行う形態である。ただし、この実施の形態８の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０２６８】
（構成）
最初に、実施の形態８に係る情報処理システムの構成について説明する。図２８は、実施の形態８に係る情報処理システムを概念的に示す図である。図２８に示すように、情報処理システム７００は、複数の端末装置６０と、情報提供装置３０とを備えており、これら複数の端末装置６０と、情報提供装置３０とはネットワーク２を介して相互に通信可能に接続されている。
【０２６９】
（構成−端末装置）
次に、端末装置６０の構成について説明する。端末装置６０は、ユーザ（実施の形態８では、商品の流通に関わる事業者（一例として、製造業者、卸売業者、小売業者等））によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。
【０２７０】
（構成−情報提供装置）
次に、情報提供装置３０の構成について説明する。図２９は、情報提供装置３０の電気的構成を示したブロック図である。情報提供装置３０は、第１提供情報及び第２提供情報を端末装置６０に対して提供する情報提供システムであり、実施の形態１に係る情報提供装置３０と略同様に構成されており、図２９に示すように、通信部３１、制御部３２、及びデータ記録部３３を備えている。
【０２７１】
ここで、情報提供装置３０で取り扱われる第１認証情報、第２認証情報、第１対応情報、第２対応情報、第１提供情報、第２提供情報、及び順序情報の詳細について説明する。
【０２７２】
まず、「第１認証情報」は、実施の形態８では、ユーザが所持している認証カードに付されており、認証カードから取得可能なバーコード情報（具体的には、ユーザ固有のコードを示す情報）として説明する。また、「第２認証情報」は、実施の形態８では、商品（物体）に付されており、商品から取得可能なバーコード情報（具体的には、商品固有のコードを示す情報）として説明する。また、「第１対応情報」は、単独で人にとって意味をなす情報であると共に第１認証情報と対応する情報であり、実施の形態８では、ユーザを特定するユーザ特定情報（具体的には、ユーザの連絡先（例えば、氏名、住所、電話番号、メールアドレス等）を示す情報）として説明する。また、「第２対応情報」は、単独で人にとって意味をなす情報であると共に第２認証情報と対応する情報であり、実施の形態８では、商品価格情報として説明する。また、「第１提供情報」は、実施の形態８では、後述のオーケー情報として説明する。また、「第２提供情報」は、実施の形態８では、後述のエラー情報として説明する。また、「順序情報」は、商品がユーザに渡る順序を示す情報であり、実施の形態８では、商品の流通に関わる事業者の流通順序を示す情報（例えば、１番目：第１事業者、２番目：第２事業者、３番目：第３事業者、・・・、ｎ番目：第ｎ事業者を示す情報と、これら第１事業者から第ｎ事業者の第１認証情報及び端末識別情報（具体的には、事業者毎に異なる第１認証情報及び端末識別情報）とを相互に関連付けたもの等）として説明する。
【０２７３】
（構成−情報提供装置−データ記録部）
また、データ記録部３３は、図２９に示すように、第１対応ＤＢ３３ｇ、第２対応ＤＢ３３ｈ、及び順序ＤＢ３３ｉを備えている。
【０２７４】
第１対応ＤＢ３３ｇは、第１対応情報を格納する対応情報格納手段であり、実施の形態８では、第１認証情報、第２認証情報、及び第１対応情報を相互に関連付けて格納している。
【０２７５】
第２対応ＤＢ３３ｈは、第２対応情報を格納する対応情報格納手段であり、実施の形態８では、第２認証情報及び第２対応情報を相互に関連付けて格納している。
【０２７６】
順序ＤＢ３３ｉは、順序情報を格納する順序情報格納手段であり、実施の形態８では、第２認証情報及び順序情報を相互に関連付けて格納されている。
【０２７７】
（情報提供処理）
次に、このように構成された情報提供装置３０によって実行される情報提供処理について説明する。
【０２７８】
図３０は、実施の形態８に係る情報提供処理のフローチャートである。情報提供処理は、概略的には、端末装置６０に対して提供情報を提供する処理である。
【０２７９】
情報提供処理が起動されると、まず、図３０に示すように、ＳＨ１において情報提供装置３０の取得部３２ａは、第１認証情報又は第２認証情報のいずれか一方のみが取得されたか否かを判定する。
【０２８０】
この第１認証情報又は第２認証情報のいずれか一方のみが取得されたか否かの判定方法については任意であるが、実施の形態８では、ＳＨ１の処理開始から所定時間内に、第１認証情報のみ又は第２認証情報のいずれか一方が端末装置６０から取得され、且つ他の認証情報が取得されていないか否かに基づいて判定し、第１認証情報のみ又は第２認証情報のいずれか一方が取得され、且つ他の認証情報が取得されていない場合には、第１認証情報又は第２認証情報のいずれか一方のみが取得されたと判定し、第１認証情報のみ又は第２認証情報のいずれか一方が取得されず、又は他の認証情報が取得された場合には、第１認証情報又は第２認証情報のいずれか一方のみが取得されなかったと判定する。
【０２８１】
そして、情報提供装置３０の取得部３２ａは、第１認証情報又は第２認証情報のいずれか一方のみが取得されたと判定された場合（ＳＨ１、Ｙｅｓ）にはＳＨ２に移行し、第１認証情報又は第２認証情報のいずれか一方のみが取得されたと判定されなかった場合（ＳＨ１、Ｎｏ）にはＳＨ３に移行する。
【０２８２】
ＳＨ２において情報提供装置３０の制御部３２は、第１対応情報又は第２対応情報を端末装置６０に対して提供し、その後ＳＨ１に移行する。
【０２８３】
この第１対応情報又は第２対応情報の提供方法については任意であるが、実施の形態８では、以下の通りとなる。すなわち、ＳＨ１にて第１認証情報が取得された場合には、第１対応ＤＢ３３ｇに格納されている第１対応情報のうち、当該取得された第１認証情報に対応する第１対応情報を抽出し、ＳＨ１にて取得された第１認証情報に付加された端末識別情報を当該抽出した第１対応情報に付加したものを送信することにより、提供する。また、ＳＨ１にて第２認証情報が取得された場合には、第２対応ＤＢ３３ｈに格納されている第２対応情報のうち、当該取得された第２認証情報に対応する第２対応情報を抽出し、ＳＨ１にて取得された第２認証情報に付加された端末識別情報を当該抽出した第２対応情報に付加したものを送信することにより、提供する。これにより、端末装置６０においてＳＨ２にて提供された第１対応情報（例えば、「ユーザの氏名＝山田太郎、ユーザの住所＝東京都港区△△△、ユーザの電話番号＝０９０−〇〇〇−×××、ユーザのメールアドレス＝×××＠〇〇〇．ｃо．ｊｐ」を示すユーザ特定情報）又は第２対応情報（「１０００円」を示す商品価格情報）をディスプレイに表示することにより、ユーザに対して第１対応情報又は第２対応情報を提示でき、ユーザが第１対応情報又は第２対応情報の内容を確認できる。
【０２８４】
ＳＨ３において情報提供装置３０の取得部３２ａは、上記ＳＡ３の処理と略同様の方法で、端末装置６０から送信された第１認証情報及び第２認証情報が取得されたか否かを判定する。そして、情報提供装置３０の取得部３２ａは、第１認証情報及び第２認証情報が取得されたと判定された場合（ＳＨ３、Ｙｅｓ）にはＳＨ４に移行し、第１認証情報及び第２認証情報が取得されたと判定されなかった場合（ＳＨ３、Ｎｏ）にはＳＨ１に移行する。
【０２８５】
ＳＨ４において情報提供装置３０の制御部３２は、ＳＨ３にて取得した第１認証情報及び第２認証情報の取得先であるユーザが順序通りのユーザであるか否かを判定する。
【０２８６】
この順序通りのユーザであるか否かの判定方法については任意であるが、実施の形態８では、以下の通りに判定する。すなわち、順序ＤＢ３３ｉに格納されている順序情報のうち、ＳＨ３にて取得した第２認証情報に対応する順序情報を特定し、当該特定した順序情報に含まれる第１認証情報のうち順序通りの第１認証情報がＳＨ３にて取得した第１認証情報と一致するか否かに基づいて判定し、上記ＳＨ３にて取得した第１認証情報と一致する場合には上記順序通りのユーザであると判定し、上記ＳＨ３にて取得した第１認証情報と一致しない場合には上記順序通りのユーザでないと判定する。ここで、「当該特定した順序情報に含まれる第１認証情報のうち順序通りの第１認証情報」とは、実施の形態８では、当該特定した順序情報に含まれる第１認証情報のうち、後述の確認情報が取得されていないユーザの第１認証情報であり、且つ最も若い順位の第１認証情報が該当する。
【０２８７】
例えば、ＳＨ３にて取得した第２認証情報に対応する順序情報＝１番目の事業者Ａ（第１認証情報＝０００１）、２番目の事業者Ｂ（第１認証情報＝０００２）、３番目の事業者Ｃ（第１認証情報＝０００３）を示す場合において、ＳＨ３にて最初に取得した第１認証情報＝０００１である場合には、１番目の事業者Ａの第１認証情報と一致するので、上記順序通りのユーザであると判定される。一方で、ＳＨ３にて最初に取得した第１認証情報＝０００２である場合には、１番目の事業者Ａの第１認証情報と一致しないので、上記順序通りのユーザでないと判定される。
【０２８８】
そして、情報提供装置３０の取得部３２ａは、上記順序通りのユーザであると判定された場合（ＳＨ４、Ｙｅｓ）にはＳＨ５に移行し、上記順序通りのユーザでないと判定された場合（ＳＨ４、Ｎｏ）にはＳＨ９に移行する。
【０２８９】
ＳＨ５において情報提供装置３０の提供部３２ｃは、ＳＨ４にて順序通りのユーザであると判定された旨を示すオーケー情報を第１提供情報として端末装置６０に対して提供する。具体的には、ＳＨ３にて取得された第１認証情報又は第２認証情報に付加された端末識別情報を第１提供情報に付加したものを送信することにより、提供する。これにより、例えば、端末装置６０がＳＨ５にて提供された第１提供情報を受信した後、ディスプレイの画面上に生成された提供表示領域に当該第１提供情報（例えば、「あなたは、順序通りのユーザです」を示すオーケー情報）を表示させることにより、当該第１提供情報をユーザに対して提示できる。
【０２９０】
ＳＨ６において情報提供装置３０の取得部３２ａは、ＳＨ５にて提供情報を提供した端末装置６０から確認情報が取得されたか否かを判定する。ここで、「確認情報」とは、端末装置６０において第１提供情報の受信が確認された旨を示す情報である。そして、情報提供装置３０の取得部３２ａは、上記確認情報が取得されたと判定されるまで待機し（ＳＨ６、Ｎｏ）、上記確認情報が取得されたと判定された場合（ＳＨ６、Ｙｅｓ）にはＳＨ７に移行する。なお、実施の形態８では、上記取得された確認情報と、上記確認情報に付加された第１認証情報とを、順序ＤＢ３３ｉに格納されている順序情報のうち、当該確認情報と対応する順序情報と別途関連付けて格納される。
【０２９１】
ここで、端末装置６０において確認情報を送信する方法については任意であるが、例えば、ＳＨ５にて提供された第１提供情報を受信した後に、ディスプレイの画面上に生成した提供表示領域に第１提供情報を表示させると共に、確認情報を送信するための送信ボタンを表示させ、当該送信ボタンがタッチパッドを介して受け付けられると、確認情報を端末識別情報に付加したもの送信してもよい。
【０２９２】
なお、実施の形態８では、端末装置６０において確認情報が送信された後に、端末装置６０のユーザが次順のユーザに対して商品を送ることにより、当該商品が次順のユーザに渡されることになる（ただし、最後のユーザは商品を他のユーザに送る必要はない）。ここで、実施の形態８では、上記端末装置６０のユーザが次順のユーザに対して商品を送る際には、商品に追加の第２認証情報が付されることなく送ることになるが、これに限らない。例えば、ＳＨ５において第１提供情報と併せて新規の第２認証情報（例えば、最初から商品に付されている第２認証情報とは異なる第２認証情報であると共に、ＳＨ５の処理が実行される毎に異なる内容を示す第２認証情報）を端末装置６０に対して提供し、端末装置６０においてこの新規の第２認証情報が受信され後に、印刷等を用いて当該新規の第２認証情報を追加で商品に付し、当該付した商品を次順のユーザに対して送るようにしてもよい。そして、ＳＨ３において第１認証情報及び第２認証情報が取得されたか否かを判定する場合には、第１認証情報と、商品に付されているすべての第２認証情報（すなわち、最初から商品に付されている第２認証情報と、追加で付された新規の第２認証情報）とが取得されたか否かに基づいて判定するようにしてもよい。これにより、商品がユーザに渡される毎に新規の第２認証情報が順次増えていくことになるため、これに関連する作業等を要することになるものの、ＳＨ３の処理を行う際のセキュリティを高めることが可能となる。
【０２９３】
ＳＨ７において情報提供装置３０の制御部３２は、対象とするユーザ全てに対して商品が渡り終えたか否かを判定する。
【０２９４】
この商品が渡り終えたか否かの判定方法については任意であるが、実施の形態８では、ＳＨ６にて取得された第１認証情報に対応する順序情報について、当該順序情報に含まれる第１認証情報のすべてと、順序ＤＢ３３ｉにおいて当該順序情報と別途関連付けて格納された第１認証情報のすべてとが一致するか否かを判定し、上記一致すると判定された場合には商品が渡り終えたと判定し、上記一致しないと判定された場合には商品が渡り終えていないと判定する。
【０２９５】
そして、情報提供装置３０の制御部３２は、商品が渡り終えたと判定された場合（ＳＨ７、Ｙｅｓ）にはＳＨ８に移行し、商品が渡り終えていないと判定された場合（ＳＨ７、Ｎｏ）にはＳＨ１に移行する。
【０２９６】
ＳＨ８において情報提供装置３０の制御部３２は、商品が渡り終えた旨を示す完了情報を端末装置６０に対して送信し、その後ＳＨ１に移行する。具体的には、ＳＨ７において処理対象となった順序情報に含まれる第１認証情報に対応する端末装置６０のすべてに対して完了情報を送信する。
【０２９７】
これにより、例えば、情報提供装置３０において商品が渡されるべきすべてのユーザ（第１事業者から第ｎ事業者）の端末装置６０から確認情報が受信された場合には、当該端末装置６０の各々に対して完了情報（例えば、「商品が渡り終えました」を示す情報等）を送信してディスプレイに表示させることにより、当該ユーザの各々に対して完了情報を提示でき、商品が当該ユーザ間で渡り終えたことを当該ユーザの各々が確認できる。一方で、情報提供装置３０において商品が渡されるべきユーザの一部の端末装置６０のみから確認情報が受信されている場合には、完了情報が送信されないので、商品が渡されるべきすべてのユーザの端末装置６０から確認情報が受信されるまで、ＳＨ１からＳＨ７、後述するＳＨ９からＳＨ１１の処理が繰り返し行われることになる。
【０２９８】
ＳＨ９において情報提供装置３０の提供部３２ｃは、ＳＨ４にて順序通りのユーザでないと判定された旨を示すエラー情報を第２提供情報として端末装置６０に対して提供する。具体的には、ＳＨ３にて取得された第１認証情報又は第２認証情報に付加された端末識別情報を第２提供情報に付加したものを送信することにより、提供する。これにより、例えば、端末装置６０がＳＨ９にて提供された第２提供情報を受信した後、ディスプレイの画面上に生成された提供表示領域に当該第２提供情報（例えば、「あなたは、順序通りのユーザではないです」を示すエラー情報）を表示させることにより、当該第２提供情報をユーザに対して提示できる。
【０２９９】
このようなＳＨ３からＳＨ９の処理により、第１認証情報及び第２認証情報が取得されたことを条件の少なくとも一部として、第１提供情報又は第２提供情報を端末装置６０に対して提供することができる。よって、事業者間での商品の流通が不正に実行されることを回避でき、当該商品の流通を行う際のセキュリティを高めることができる。
【０３００】
ＳＨ１０において情報提供装置３０の取得部３２ａは、編集対象対応情報（具体的には、第１対応情報又は第２対応情報に関する編集対象対応情報と、第１対応情報又は第２対応情報の編集を指示する指示情報））が取得されたか否かを判定する。
【０３０１】
この編集対象対応情報の取得方法については任意であるが、例えば、ＳＨ３にて取得された第１認証情報又は第２認証情報に編集対象対応情報が付加されている場合には、当該第１認証情報又は第２認証情報から取得してもよく、又は、ＳＨ１０の開始から所定時間内に編集対象対応情報を受信することにより取得してもよい。
【０３０２】
ここで、端末装置６０から編集対象対応情報を情報提供装置３０に送信する方法については任意であるが、例えば、編集対象対応情報のディスプレイの画面上に生成された編集表示領域に、タッチパッドを介して入力されたユーザ特定情報又は商品価格情報を表示し、タッチパッドを介して所定操作が行われることにより当該ユーザ特定情報又は商品価格情報を編集対象提供情報として特定して送信してもよい。
【０３０３】
そして、情報提供装置３０の取得部３２ａは、編集対象対応情報が取得されたと判定された場合（ＳＨ１０、Ｙｅｓ）にはＳＨ１１に移行し、編集対象対応情報が取得されていないと判定された場合（ＳＨ１０、Ｎｏ）にはＳＨ１に移行する。
【０３０４】
ＳＨ１１において情報提供装置３０の編集部３２ｂは、対応情報の編集（具体的には、第１対応情報又は第２対応情報の編集）を実行する。その後、ＳＨ１に移行して、以降同様に、ＳＨ１からＳＨ１１の処理を繰り返す。
【０３０５】
この対応情報の編集方法については任意であるが、実施の形態４では、第１対応情報の編集を行う場合には、第１対応ＤＢ３３ｇに格納されている第１対応情報のうち、ＳＨ１０にて取得された編集対象対応情報に付加された第１認証情報及び第２認証情報に対応する第１対応情報を特定し、当該特定してから所定時間経過後に（又は当該特定後すぐに）ＳＨ１０にて取得された編集対象対応情報を当該特定した第１対応情報に置き換えて格納することにより、編集する（なお、第２対応情報の編集を行う場合についても略同様とする）。例えば、編集対象対応情報（ユーザ特定情報のユーザの氏名を示す情報）＝山田一郎であり、第１認証情報に対応する対応情報（ユーザ特定情報のユーザの氏名を示す情報）＝山田太郎である場合には、第１認証情報に対応する提供情報＝山田一郎に置き換えて第１対応ＤＢ３３ｇに格納される。
【０３０６】
このようなＳＨ９からＳＤ１１の処理により、第１認証情報及び第２認証情報が取得されたことを条件の少なくとも一部として、対応情報の編集を実行することができる。よって、対応情報が不正に編集されることを回避でき、当該編集を行う際のセキュリティを高めることができる。
【０３０７】
（効果）
このように実施の形態８によれば、取得部３２ａによって第１認証情報と第２認証情報とが取得されたことを条件の少なくとも一部として、対応情報の編集を端末装置６０を介して行うことを可能にする編集部３２ｂを備えるので、第１認証情報及び第２認証情報が取得されたことを条件の少なくとも一部として、対応情報の編集を行うことができる。よって、対応情報が不正に編集されることを回避でき、当該編集を行う際のセキュリティを高めることが可能となる。また、第１認証情報が、単独で人にとって意味をなす対応情報を提供することを可能にする情報であるので、上記編集を行う際の認証に用いられること以外の様々な用途に利用することができる。よって、従来の認証情報に比べて、第１認証情報の使用性を高めることができる。
【０３０８】
〔実施の形態９〕
次に、実施の形態９について説明する。この実施の形態９は、情報提供システムが、第１認証情報及び第２認証情報が取得されたことを条件の少なくとも一部として、後述する更新処理を行う形態である。ただし、この実施の形態９の構成は、特記する場合を除いて、実施の形態５の構成と略同一であり、実施の形態５の構成と略同一の構成についてはこの実施の形態５で用いたものと同一の符号及び／又は名称を必要に応じて付して、その説明を省略する。
【０３０９】
（構成）
最初に、実施の形態９に係る情報処理システムの構成について説明する。図３１は、実施の形態９に係る情報処理システムを概念的に示す図である。図３１に示すように、情報処理システム８００は、複数の第１端末装置１０と、複数の第２端末装置２０と、情報提供装置３０とを備えており、これら複数の第１端末装置１０及び複数の第２端末装置２０の各々と情報提供装置３０とはネットワーク２を介して相互に通信可能に接続されている。
【０３１０】
（構成−第１端末装置）
次に、第１端末装置１０の構成について説明する。第１端末装置１０は、ユーザ（実施の形態９では、電子絵画を購入したユーザ（以下、「絵画購入ユーザ」と称する））によって所持されている端末装置であり、実施の形態５に係る第１端末装置１０と略同様に構成されており、通信部、タッチパッド、ディスプレイ、スピーカ、撮像部、制御部、及びデータ記録部を備えている（いずれも図示省略）。
【０３１１】
（構成−第２端末装置）
次に、第２端末装置２０の構成について説明する。
第２端末装置２０は、第１端末装置１０のユーザによって管理されている端末装置である。
この第２端末装置２０は、所定位置（例えば、部屋の壁等）に設けられており、例えば公知のデジタルフォトフレーム等を用いて構成され、通信部、表示部、制御部、及びデータ記録部を備えている（いずれも図示省略）。
【０３１２】
（構成−第２端末装置−通信部）
通信部は、情報提供装置３０との相互間で通信を行うための通信手段であり、有線通信網や移動体無線通信網を用いて通信を行う公知の通信手段を用いて構成されている。
【０３１３】
（構成−第２端末装置−表示部）
表示部は、後述する絵画情報を表示する表示手段であり、例えば液晶ディスプレイや有機ＥＬディスプレイの如きフラットパネルディスプレイ等の公知の表示手段等を用いて構成されている。
【０３１４】
（構成−第２端末装置−制御部）
制御部は、第２端末装置２０を制御する制御手段である。
【０３１５】
（構成−第２端末装置−データ記録部）
データ記録部は、第２端末装置２０の動作に必要なプログラム及び各種のデータを記録する記録手段である。
【０３１６】
（構成−情報提供装置）
次に、情報提供装置３０の構成について説明する。図３２は、情報提供装置３０の電気的構成を示したブロック図である。情報提供装置３０は、各種の情報を第１端末装置１０又は第２端末装置２０に対して提供する情報提供システムである。実施の形態５に係る情報提供装置３０と略同様に構成されており、図３２に示すように、通信部３１、制御部３２、及びデータ記録部３３を備えている（ただし、制御部３２の編集部３２ｂ及び提供部３２ｃは省略されている）。
【０３１７】
ここで、情報提供装置３０で取り扱われる第１認証情報、第２認証情報、絵画情報、及び絵画種別情報の詳細について説明する。
【０３１８】
まず、「第１認証情報」は、実施の形態９では、電子絵画自体を示す情報（具体的には、端末装置等で撮像された電子絵画の画像情報）として説明する。また、「第２認証情報」は、実施の形態９では、電子絵画を更新する権限（以下、「絵画更新権」と称する）に付されたバーコード情報（具体的には、絵画更新権固有のコードを示す情報）として説明する。また、「絵画情報」は、電子絵画を示す絵画情報であり、実施の形態９では、正規販売されている電子絵画の画像情報として説明する。また、「絵画種別情報」は、電子絵画の種別を示す情報であり、実施の形態９では、電子絵画のグレード別、作者別、又は作成時期別を示す情報として説明する。
【０３１９】
（構成−情報提供装置−データ記録部）
また、データ記録部３３は、図３２に示すように、絵画ＤＢ３３ｊ及び絵画更新権ＤＢ３３ｋは備えている。
【０３２０】
絵画ＤＢ３３ｊは、絵画情報を格納する絵画情報格納手段であり、実施の形態９では、絵画情報及び絵画種別情報を相互に関連付けて格納している。
【０３２１】
絵画更新権ＤＢ３３ｋは、絵画更新権情報を格納する絵画更新権情報格納手段であり、実施の形態９では、絵画更新権情報、第２認証情報、第１端末識別情報、及び第２端末装置２０を一意に識別する端末識別情報（以下、「第２端末識別情報」と称する）を相互に関連付けて格納している。
【０３２２】
（制御処理）
次に、このように構成された情報処理システム８００によって実行される制御処理について説明する。
【０３２３】
図３３は、実施の形態９に係る情報提供装置３０に関する制御処理のフローチャートである。図３４は、実施の形態９に係る第１端末装置１０に関する制御処理のフローチャートである。なお、この制御処理の前提については、実施の形態９では、第２端末装置２０には絵画情報が既に保存されているものとして説明する。
【０３２４】
制御処理が起動されると、まず、図３３に示すように、ＳＩ１１において情報提供装置３０の制御部３２は、第２認証情報を送信するタイミング（以下、「第１送信タイミング」と称する）が到来したか否かを判定する。
【０３２５】
この第１送信タイミングが到来したか否かの判定方法については任意であるが、実施の形態９では、ユーザが絵画更新権を購入した後に、外部装置又は操作部を介して絵画更新権情報、第２認証情報、第１端末識別情報、及び第２端末識別情報が取得されて絵画更新権ＤＢ３３ｋに格納されてから所定時間が経過したか否かに基づいて判定し、上記所定時間が経過した場合には第１送信タイミングが到来したと判定し、上記所定時間が経過していない場合には第１送信タイミングが到来していないと判定する。
【０３２６】
そして、情報提供装置３０の制御部３２は、第１送信タイミングが到来したと判定されるまで待機し（ＳＩ１１、Ｎｏ）、第１送信タイミングが到来したと判定された場合（ＳＩ１１、Ｙｅｓ）にはＳＩ１２に移行する。
【０３２７】
ＳＩ１２において情報提供装置３０の制御部３２は、第２認証情報を第１端末装置１０に送信して、ＳＩ１３に移行する。具体的には、ＳＩ１１にて処理の対象となった第２認証情報にＳＩ１１にて処理の対象となった第２端末識別情報を付加したものを送信する。
【０３２８】
次に、図３４に示すように、ＳＩ２１において第１端末装置１０の制御部は、第２認証情報が受信されたか否かを判定する。そして、第１端末装置１０の制御部は、第２認証情報が受信されるまで待機し（ＳＩ２１、Ｎｏ）、第２認証情報が受信されたと判定された場合（ＳＩ２１、Ｙｅｓ）にはＳＩ２２に移行する。
【０３２９】
ＳＩ２２において第１端末装置１０の制御部は、第１認証情報を取得する。この第１認証情報の取得方法については任意であるが、例えば、ユーザによって管理されている第２端末装置２０の表示部に表示された絵画情報を撮像部によって撮像することによって取得してもよい。なお、実施の形態９では、ＳＩ２１の処理後にＳＩ２２が行われると説明したが、これに限らず、例えば、ＳＩ２１の処理前にＳＩ２２が行われてもよい。
【０３３０】
ＳＩ２３において第１端末装置１０の制御部は、第１認証情報及び第２認証情報を送信するタイミング（以下、「第２送信タイミング」と称する）が到来したか否かを判定する。
【０３３１】
この第２送信タイミングが到来したか否かの判定方法については任意であるが、実施の形態９では、ＳＩ２２の処理が実行されてから所定時間が経過した否かに基づいて判定し、上記所定時間が経過した場合には第２送信タイミングが到来したと判定し、上記所定時間が経過していない場合には第２送信タイミングが到来していないと判定する。
【０３３２】
そして、第１端末装置１０の制御部は、第２送信タイミングが到来したと判定されるまで待機し（ＳＩ２３、Ｎｏ）、第２送信タイミングが到来したと判定された場合（ＳＩ２３、Ｙｅｓ）にはＳＩ２４に移行する。
【０３３３】
ＳＩ２４において第１端末装置１０の制御部は、第１認証情報及び第２認証情報を情報提供装置３０に送信して、制御処理を終了する。具体的には、第１認証情報及び第２認証情報にＳＩ２１にて受信された第２認証情報に付加された第２端末識別情報を付加したものを送信する。
【０３３４】
図３３に戻り、ＳＩ１３において情報提供装置３０の取得部３２ａは、第１認証情報及び第２認証情報が取得されたか否かを判定する。そして、情報提供装置３０の取得部３２ａは、第１認証情報及び第２認証情報が取得されるまで待機し（ＳＩ１３、Ｎｏ）、第１認証情報及び第２認証情報が取得されたと判定された場合（ＳＩ１３、Ｙｅｓ）にはＳＩ１４に移行する。
【０３３５】
ＳＩ１４において情報提供装置３０の制御部３２は、ＳＩ１３にて取得された第１認証情報及び第２認証情報に基づいて、第２端末装置２０に対して絵画情報を更新するための処理（以下、「更新処理」と称する）を実行し、その後制御処理を終了する。
【０３３６】
この更新処理の具体的な処理内容については任意であるが、実施の形態９では、以下に示す処理が実行される。すなわち、絵画更新権ＤＢ３３ｋに格納されている絵画更新権情報の中に、ＳＩ１３にて取得された第１認証情報及び第２認証情報に対応する絵画更新権情報が存在するか否かに基づいて絵画情報を更新するか否かを判定し、上記絵画更新権情報が存在する場合には絵画情報を更新すると判定し、上記絵画更新権情報が存在しない場合には絵画情報を更新しないと判定する。ここで、上記絵画情報を更新すると判定された場合には、絵画ＤＢ３３ｊに格納されている絵画情報の中からＳＩ１３にて取得された第１認証情報に対応する絵画情報を特定した後、絵画ＤＢ３３ｊに格納されている絵画種別情報の中から当該特定した絵画情報に対応する絵画種別情報を特定する。次いで、絵画ＤＢ３３ｊに格納されている絵画情報の中から、上記特定した絵画情報とは異なる他の絵画情報であって、上記特定した絵画種別情報に対応する他の絵画情報を特定する。そして、ＳＩ１３にて取得された第１認証情報又は第２認証情報に付加された第２端末識別情報に対応する第２端末装置２０に対して、上記他の絵画情報を更新すべき絵画情報として送信する。これにより、上記第２端末装置２０において、上記他の絵画情報を受信して表示部に出力することにより、絵画情報の更新を行うことが可能となる。一方で、上記絵画情報を更新しないと判定された場合には、その旨を示す情報を第１端末装置１０（又は上記第２端末装置２０）に送信して第１端末装置１０のディスプレイによって出力させることで、当該情報をユーザに対して報知できる。
【０３３７】
このような制御処理により、第１認証情報及び第２認証情報が取得されたことを条件の少なくとも一部として、更新処理を実行することができる。よって、更新処理が不正に実行されることを回避でき、絵画の更新を行う際のセキュリティを高めることができる。
【０３３８】
（効果）
このように実施の形態９によれば、第１認証情報と第２認証情報とが取得されたことを条件の少なくとも一部として、更新処理を実行する制御部３２を備えるので、第１認証情報及び第２認証情報が取得されたことを条件の少なくとも一部として、更新処理を実行することができる。よって、更新処理が不正に実行されることを回避でき、絵画の更新を行う際のセキュリティを高めることができる。
【０３３９】
〔実施の形態１０〕
次に、実施の形態１０に係る情報提供システムについて説明する。この実施の形態１０は、提供情報が後述の第３画像情報であり、情報提供システムが、第１認証情報及び第２認証情報が取得されたことを条件の少なくとも一部として、提供情報の提供を行う形態である。ただし、この実施の形態１０の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０３４０】
（構成）
最初に、実施の形態１０に係る情報処理システムの構成について説明する。図３５は、実施の形態１０に係る情報処理システムを概念的に示す図である。図３５に示すように、情報処理システム９００は、複数の端末装置６０と、情報提供装置３０とを備えており、これら複数の端末装置６０の各々と、情報提供装置３０とはネットワーク２を介して相互に通信可能に接続されている。
【０３４１】
（構成−端末装置）
次に、端末装置６０の構成について説明する。端末装置６０は、ユーザ（実施の形態１０では、イベントの参加者（一例として、コンサートの観客等））によって所持されている端末装置であり、実施の形態１に係る第１端末装置１０と略同様に構成されており、通信部、タッチパッド、ディスプレイ、スピーカ、撮像部、制御部、及びデータ記録部を備えている（いずれも図示省略）。
【０３４２】
（構成−情報提供装置）
次に、情報提供装置３０の構成について説明する。図３６は、情報提供装置３０の電気的構成を示したブロック図である。情報提供装置３０は、提供情報を端末装置６０に対して提供する情報提供システムであり、実施の形態１に係る情報提供装置３０と略同様に構成されており、図３６に示すように、通信部３１、制御部３２、及びデータ記録部３３を備えている。
【０３４３】
ここで、情報提供装置３０で取り扱われる第１認証情報、第２認証情報、第１対応情報、第２対応情報、及び提供情報の詳細について説明する。
【０３４４】
まず、「第１認証情報」は、実施の形態１０では、ユーザが所持しているイベントグッズ（例えば、うちわ）に付されており、イベントグッズから取得可能なバーコード情報（具体的には、イベントグッズ固有のコードを示す情報）として説明する。また、「第２認証情報」は、実施の形態１０では、第１認証情報とは異なるバーコード情報であって、上記イベントグッズに付されており、イベントグッズから取得可能なバーコード情報（具体的には、イベントグッズ固有のコードを示す情報）として説明する。また、「第１対応情報」は、第１認証情報と対応する情報であり、実施の形態１０では、イベントの参加者が行う第１のアクションを示す第１画像を特定する第１画像情報）として説明する。また、「第２対応情報」は、第２認証情報と対応する情報であり、実施の形態１０では、第１のアクションとは異なる第２のアクションであって、イベントの参加者が行う第２のアクションを示す第２画像を特定する第２画像情報）として説明する。また、「提供情報」は、実施の形態１０では、第１のアクション及び第２のアクションとは異なる第３のアクションであって、イベントの参加者が行う第３のアクションを示す第３画像を特定する第３画像情報）として説明する。
【０３４５】
（構成−情報提供装置−データ記録部）
また、データ記録部３３は、図３６に示すように、第１対応ＤＢ３３ｌ、第２対応ＤＢ３３ｍ、及び提供ＤＢ３３ｎを備えている。
【０３４６】
第１対応ＤＢ３３ｌは、第１対応情報を格納する第１対応情報格納手段であり、実施の形態１０では、第１認証情報及び第１対応情報を相互に関連付けて格納している。
【０３４７】
第２対応ＤＢ３３ｍは、第２対応情報を格納する第２対応情報格納手段であり、実施の形態１０では、第２認証情報及び第２対応情報を相互に関連付けて格納している。
【０３４８】
提供ＤＢ３３ｎは、提供情報を格納する提供情報格納手段であり、実施の形態１０では、第１認証情報、第２認証情報、及び提供情報を相互に関連付けて格納している。
【０３４９】
（情報提供処理）
次に、このように構成された情報提供装置３０によって実行される情報提供処理について説明する。
【０３５０】
図３７は、実施の形態１０に係る情報提供処理のフローチャートである。情報提供処理は、概略的には、端末装置６０に対して提供情報を提供する処理である。
【０３５１】
情報提供処理が起動されると、まず、図３７に示すように、ＳＪ１において情報提供装置３０の取得部３２ａは、ＳＨ１の処理と略同様の方法で、第１認証情報又は第２認証情報のいずれか一方のみが端末装置６０から取得されたか否かを判定する。
【０３５２】
そして、情報提供装置３０の取得部３２ａは、第１認証情報又は第２認証情報のいずれか一方のみが取得されたと判定された場合（ＳＪ１、Ｙｅｓ）にはＳＪ２に移行し、第１認証情報又は第２認証情報のいずれか一方のみが取得されたと判定されなかった場合（ＳＪ１、Ｎｏ）にはＳＪ３に移行する。
【０３５３】
ＳＪ２において情報提供装置３０の制御部３２は、ＳＨ２の処理と略同様の方法で、第１対応情報又は第２対応情報を端末装置６０に対して提供し、その後ＳＪ１に移行する。これにより、端末装置６０においてＳＪ２にて提供された第１対応情報（第１のアクションを示す第１画像情報）又は第２対応情報（第２のアクションを示す第２画像情報）をディスプレイに表示することにより、ユーザに対して第１対応情報又は第２対応情報を提示でき、ユーザが第１対応情報又は第２対応情報を見ながら第１のアクション又は第２のアクションを行うことができる。
【０３５４】
ＳＪ３において情報提供装置３０の取得部３２ａは、ＳＡ３の処理と略同様の方法で、第１認証情報及び第２認証情報が端末装置６０から取得されたか否かを判定する。
【０３５５】
そして、情報提供装置３０の取得部３２ａは、第１認証情報及び第２認証情報が取得されたと判定された場合（ＳＪ３、Ｙｅｓ）にはＳＪ４に移行し、第１認証情報及び第２認証情報が取得されたと判定されなかった場合（ＳＪ３、Ｎｏ）にはＳＪ１に移行する。
【０３５６】
ＳＪ４において情報提供装置３０の提供部３２ｃは、ＳＡ８の処理と略同様の方法で、提供情報を端末装置に対して提供する。その後、ＳＪ１に移行して、以降同様に、ＳＪ１からＳＪ４の処理を繰り返す。これにより、端末装置６０においてＳＪ４にて提供された提供情報（第３のアクションを示す第３画像情報）をディスプレイに表示することにより、ユーザに対して提供情報を提示でき、ユーザが提供情報を見ながら第３のアクションを行うことができる。
【０３５７】
以上のような情報提供処理により、情報処理システム９００のセキュリティを高めながら、端末装置６０に対して提供情報を提供することができる。
【０３５８】
（効果）
このように実施の形態１０によれば、取得部３２ａによって第１認証情報及び第２認証情報が取得されたことを条件の少なくとも一部として、提供情報を提供することができる。よって、提供情報が不正に提供されることを回避でき、当該提供を行う際のセキュリティを高めることができる。
【０３５９】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０３６０】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０３６１】
（分散や統合について）
上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、情報提供装置３０を、相互に通信可能に構成された複数の装置に分散して構成し、これら複数の装置の一部に制御部３２を設けると共に、これら複数の装置の他の一部にデータ記録部３３を設けてもよい。
【０３６２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０３６３】
（情報処理システムの適用について）
上記実施の形態２では、情報処理システム１００が、ペットの飼い主である第３ユーザの第３ユーザ連絡先情報を提供情報として、この提供情報の提供及び編集を行うことに適用されると説明したが、これに限らない。例えば、第３端末装置４０を所持する第３ユーザの登録個人情報（例えば、氏名、住所、電話番号（自宅の電話番号）、メールアドレス）を提供情報として、この提供情報の提供及び編集を行うことに適用されてもよい。
【０３６４】
一例として、第３端末装置４０を所持する第３ユーザが電車の乗客であり、第１端末装置１０を所持する第１ユーザが第３ユーザ以外の電車の乗客であり、第２端末装置２０を所持する第２ユーザが駅員である場合において、第３ユーザが第３端末装置４０を電車で落とした後に、第１ユーザが第３端末装置４０を拾った場合には、その旨を第３ユーザに対して通知するために、以下の情報提供処理が行われる。すなわち、まず、第１ユーザが拾った第３端末装置４０を駅の「忘れ物サービスセンター」にいる第２ユーザに対して渡すと、第２ユーザが第２端末装置２０の撮像部によって第３端末装置４０に貼られた第１認証情報（第１ユーザ固有のコードを示すＱＲコード）と第３認証情報（第２ユーザ固有のコードを示すＱＲコード）を撮像して情報提供装置３０に送信する。次に、ＳＢ７において情報提供装置３０は、第２端末装置２０から第１認証情報及び第３認証情報を取得すると、ＳＢ８において提供情報を第２端末装置２０に対して提供する。これにより、第２ユーザが情報提供装置３０から提供された提供情報の電話番号、メールアドレスを用いて第３ユーザに連絡することができ、第３ユーザが第３端末装置４０を落としたか否かを確認できる。
【０３６５】
また、第３ユーザが提供情報を編集する場合には、以下の情報提供処理が行われる。すなわち、まず、第３ユーザが、所定方法（例えば、第２端末装置２０の撮像部又はタッチパッドを介して取得する等）により第１認証情報と第２認証情報（第３ユーザ固有のコードを示すＱＲコード）とを取得して情報提供装置３０に向けて送信すると、ＳＢ３において情報提供装置３０は、第１認証情報及び第２認証情報を取得する。次に、ＳＢ４において情報提供装置３０は、提供情報を第３端末装置４０に送信した後に、ＳＢ５において第３端末装置４０で作成された編集対象提供情報を取得すると、ＳＢ６において当該編集対象提供情報に基づいて提供情報の編集を行う。なお、上述した説明では、ＳＢ３において第１認証情報及び第２認証情報を取得した後にＳＢ４が実行されると説明したが、これに限らない。例えば、第２認証情報があらかじめ設定されているパスワード情報である場合であり、且つ第３端末装置４０を一義的に特定できる場合には、第３ユーザが第３端末装置４０を用いて専用サイトに第２認証情報を入力して送信することにより、ＳＢ３において第１認証情報を取得することなく、第２認証情報を取得したことだけで、ＳＢ４が実行されてもよい。
【０３６６】
また、上記実施の形態５では、情報処理システム４００が、イベントの会場の入場管理に適用されていると説明したが、これに限らず、例えば、学校等の入校管理、職場での出勤管理に適用されてもよい。
【０３６７】
（端末装置について）
上記実施の形態１、２、３、４、５、６、７では、第２端末装置２０の設置数が１つであると説明したが、これに限らず、２つ以上であってもよい。
【０３６８】
また、上記実施の形態１から１０では、各種の端末装置が、撮像部を備えていると説明したが、これに限らず、例えば、撮像部に代えて、ＱＲコード情報又はバーコード情報を読み込むことが可能なリーダ部を備えてもよい。
【０３６９】
（絵画ＤＢについて）
上記実施の形態９では、絵画ＤＢ３３ｊが、絵画情報及び絵画種別情報を格納していると説明したが、これに限らず、例えば、絵画情報に代えて、又はさらに加えて電子絵画のサイズを示す絵画サイズ情報を格納してもよい。
【０３７０】
（情報提供処理について）
上記実施の形態１、２、４、８では、編集部３２ｂが、第１認証情報と第２認証情報とが取得されたことを条件の少なくとも一部として、提供情報又は対応情報の少なくともいずれか一方の編集を行うと説明したが、これに限らない。例えば、識別性を高めるために、第１認証情報及び第２認証情報に加えて、第１認証情報及び第２認証情報とは異なる少なくとも１つ以上の他の認証情報（一例として、端末識別情報）が取得されたことを条件として、提供情報又は対応情報の少なくともいずれか一方の編集を行ってもよい。
【０３７１】
また、上記実施の形態１、２、４、８では、編集部３２ｂが、第１認証情報と第３認証情報とが取得されたことを条件の少なくとも一部として、提供情報を提供すると説明したが、これに限らない。例えば、セキュリティ性又は識別性を高めるために、第１認証情報及び第３認証情報に加えて、第１認証情報及び第３認証情報とは異なる少なくとも１つ以上の他の認証情報（一例として、端末識別情報）が取得されたことを条件として、提供情報を提供してもよい。
【０３７２】
また、上記実施の形態５では、ＳＥ１２において、情報提供装置３０の制御部３２は、ＳＥ１１にてチケットＤＢ３３ｄに格納された第１認証情報をそのまま送信すると説明したが、これに限らない。例えば、情報提供装置３０の制御部３２は、チケットＤＢ３３ｄに格納された第１認証情報のコードを所定方法で変換し、当該変換された第１認証情報を送信してもよい（なお、ＳＥ１４の処理、及び実施の形態６、７、９の各種の認証情報の送信についても略同様とする）。この「所定方法」とは、例えば、情報提供装置３０の制御部３２が自動的に変換する方法、又は他の端末装置を介して受け付けられたコード情報を変換された第１認証情報とする方法等が該当する。これにより、情報処理システムのセキュリティを高めることができる。
【０３７３】
また、上記実施の形態３では、ＳＣ２２において、引渡処理のみが実行されるが、これに限らない。例えば、引渡処理に加えて、引渡処理が行われた旨を示す完了情報と、ＳＣ２１にて取得された第１認証情報及び第２認証情報と、ＳＣ２１から取得された第１認証情報又は第２認証情報に基づいて取得された端末識別情報とを含むログ情報は、第２端末装置２０又は情報提供装置３０のデータ記録部に格納されてもよい。この場合において、例えば、所定のタイミング（一例として、ログ情報の送信を指示する信号が受信されたタイミング等）が到来した場合には、第２端末装置２０又は情報提供装置３０のデータ記録部に格納されたログ情報は、外部装置（一例として、第１端末装置１０等）に送信してもよい（なお、実施の形態５のＳＥ１６、実施の形態６のＳＦ１６、実施の形態７のＳＧ１４、及び実施の形態９のＳＩ１４についても略同様とする）。
【０３７４】
また、上記実施の形態９では、ＳＩ１４の更新処理において、絵画更新権ＤＢ３３ｋに格納されている絵画更新権情報の中に、ＳＩ１３にて取得された第１認証情報及び第２認証情報に対応する絵画更新権情報が存在するか否かのみに基づいて絵画情報を更新するか否かを判定すると説明したが、これに限らない。例えば、上記絵画更新権情報が存在するか否かの判定に加えて、ＳＩ１３にて取得された第２認証情報に基づいて、第２認証情報の電子絵画の真贋を判定することに基づいて、絵画情報を更新するか否かを判定してもよい。この真贋の判定方法は任意であるが、例えばＡＩに本物と贋作の絵画の画像情報及びその真贋情報を教師データとして蓄積し、この教師データを用いて判定してもよい。
【０３７５】
（付記）
付記１の情報提供システムは、端末装置から認証情報を取得したことを条件として提供情報を端末装置に対して提供するための情報提供システムであって、前記認証情報である第１認証情報と、前記第１認証情報とは異なる前記認証情報である第２認証情報とを取得する取得手段であり、前記第１認証情報は、対応情報を提供することを可能にする情報であり、前記対応情報は、単独で人にとって意味をなす情報であると共に前記第１認証情報と対応する情報である、前記取得手段と、前記取得手段によって前記第１認証情報と前記第２認証情報とが取得されたことを条件の少なくとも一部として、前記提供情報又は前記対応情報の少なくともいずれか一方の編集を前記端末装置を介して行うことを可能にする編集手段と、を備える。
【０３７６】
付記２の情報提供システムは、付記１に記載の情報提供システムにおいて、前記第１認証情報は、動物又は物体から取得可能な情報である。
【０３７７】
付記３の情報提供システムは、付記１又は２に記載の情報提供システムにおいて、前記編集手段は、前記取得手段によって前記第１認証情報及び前記第２認証情報が所定タイミング、所定順序、又は所定回数で取得されたか否かを条件の少なくとも一部として、前記提供情報又は前記対応情報の少なくともいずれか一方の編集を行うことを可能にする。
【０３７８】
付記４の情報提供システムは、付記１から３のいずれか一項に記載の情報提供システムにおいて、前記取得手段によって前記第１認証情報と、前記第１認証情報及び前記第２認証情報とは異なる前記認証情報である第３認証情報とが取得されたことを条件の少なくとも一部として、前記提供情報を前記端末装置に対して提供する提供手段を備える。
【０３７９】
付記５の情報提供システムは、付記４に記載の情報提供システムにおいて、前記提供手段は、前記取得手段によって前記第１認証情報及び前記第３認証情報が所定タイミング、所定順序、又は所定回数で取得されたか否かを条件の少なくとも一部として、前記提供情報を提供する。
【０３８０】
付記６の情報提供システムは、付記４又は５に記載の情報提供システムにおいて、前記対応情報は、前記第３認証情報の保有先を示す保有先情報を含み、前記提供手段は、前記取得手段によって前記第１認証情報のみが取得されたことを条件の少なくとも一部として、前記保有先情報を前記端末装置に対して提供する。
【０３８１】
付記７の情報提供システムは、付記１から６のいずれか一項に記載の情報提供システムにおいて、前記認証情報は、ＱＲコード情報又はバーコード情報を含む。
【０３８２】
付記８の情報提供プログラムは、端末装置から認証情報を取得したことを条件として提供情報を端末装置に対して提供するための情報提供システムに実行させるための情報提供プログラムであって、コンピュータを、前記認証情報である第１認証情報と、前記第１認証情報とは異なる前記認証情報である第２認証情報とを取得する取得手段であり、前記第１認証情報は、対応情報を提供することを可能にする情報であり、前記対応情報は、単独で人にとって意味をなす情報であると共に前記第１認証情報と対応する情報である、前記取得手段と、前記取得手段によって前記第１認証情報と前記第２認証情報とが取得されたことを条件の少なくとも一部として、前記提供情報又は前記対応情報の少なくともいずれか一方の編集を前記端末装置を介して行うことを可能にする編集手段と、として機能させる。
【０３８３】
（付記の効果）
付記１に記載の情報提供システム、及び付記８に記載の情報提供プログラムによれば、取得手段によって第１認証情報と第２認証情報とが取得されたことを条件の少なくとも一部として、提供情報又は対応情報の少なくともいずれか一方の編集を端末装置を介して行うことを可能にする編集手段を備えるので、第１認証情報及び第２認証情報が取得されたことを条件の少なくとも一部として、提供情報又は対応情報の編集を行うことができる。よって、提供情報又は対応情報が不正に編集されることを回避でき、当該編集を行う際のセキュリティを高めることが可能となる。また、第１認証情報が、単独で人にとって意味をなす対応情報を提供することを可能にする情報であるので、上記編集を行う際の認証に用いられること以外の様々な用途に利用することができる。例えば、対応情報が第１認証情報以外の他の認証情報の取得又は提供情報の提供を受けることを容易にする情報として機能する場合には、当該他の認証情報の取得又は提供情報の提供を受けることを効率的に行うことが可能となる。よって、従来の認証情報に比べて、第１認証情報の使用性を高めることができる。
【０３８４】
付記２に記載の情報提供システムによれば、第１認証情報が、動物又は物体から取得可能な情報であるので、例えば、動物又は物体と関連する第１認証情報を簡易に取得でき、第１認証情報の取り扱いが容易となる。
【０３８５】
付記３に記載の情報提供システムによれば、編集手段が、取得手段によって第１認証情報及び第２認証情報が所定タイミング、所定順序、又は所定回数で取得されたか否かを条件の少なくとも一部として、提供情報又は対応情報の少なくともいずれか一方の編集を行うことを可能にするので、当該編集を行う際のセキュリティを高めやすくなるため、情報提供システムの信頼性を高めることができる。
【０３８６】
付記４に記載の情報提供システムによれば、取得手段によって第１認証情報と、第３認証情報とが取得されたことを条件の少なくとも一部として、提供情報を端末装置に対して提供する提供手段を備えるので、第１認証情報及び第３認証情報が取得されたことを条件の少なくとも一部として、提供情報を提供することができる。よって、提供情報が不正に提供されることを回避でき、当該提供を行う際のセキュリティを高めることができる。
【０３８７】
付記５に記載の情報提供システムによれば、提供手段が、取得手段によって第１認証情報及び第３認証情報が所定タイミング、所定順序、又は所定回数で取得されたか否かを条件の少なくとも一部として、提供情報を提供するので、当該提供を行う際のセキュリティを高めやすくなるため、情報提供システムの信頼性を一層高めることができる。
【０３８８】
付記６に記載の情報提供システムによれば、提供手段は、取得手段によって第１認証情報のみが取得されたことを条件の少なくとも一部として、保有先情報を端末装置に対して提供するので、ユーザが保有先情報を簡易に入手することが可能になる。また、例えば、対応情報である保有先情報に連絡するという手順を経た後に提供情報が提供される場合には、提供情報が不用意に端末装置等に提供されることを回避できる。
【０３８９】
付記７に記載の情報提供システムによれば、認証情報が、ＱＲコード情報又はバーコード情報を含むので、認証情報の取り扱いが容易となるため、情報提供システムの使用性を高めることができる。
【符号の説明】
【０３９０】
１  情報処理システム
２  ネットワーク
１０  第１端末装置
２０  第２端末装置
２１  保管部
２２  施錠部
２３  通信部
２４  出力部
２５  撮像部
２６  制御部
２６ａ  取得部
２７  データ記録部
２７ａ  保管部ＤＢ
３０  情報提供装置
３１  通信部
３２  制御部
３２ａ  取得部
３２ｂ  編集部
３２ｃ  提供部
３３  データ記録部
３３ａ  対応ＤＢ
３３ｂ  提供ＤＢ
３３ｃ  第１端末ＤＢ
３３ｄ  チケットＤＢ
３３ｅ  予約ＤＢ
３３ｆ  入室許可ＤＢ
３３ｇ  第１対応ＤＢ
３３ｈ  第２対応ＤＢ
３３ｉ  順序ＤＢ
３３ｊ  絵画ＤＢ
３３ｋ  絵画更新権ＤＢ
３３ｌ  第１対応ＤＢ
３３ｍ  第２対応ＤＢ
３３ｎ  提供ＤＢ
４０  第３端末装置
５０  保管装置
５１  保管部
６０  端末装置
１００  情報処理システム
２００  情報処理システム
３００  情報処理システム
４００  情報処理システム
５００  情報処理システム
６００  情報処理システム
７００  情報処理システム
８００  情報処理システム
９００  情報処理システム
Ａ１  第１認証情報
Ａ２  第２認証情報
Ａ３  第３認証情報
【要約】
【課題】セキュリティを高めると共に、認証情報の使用性を高めることが可能となる、情報提供システム、及び情報提供プログラムを提供すること。
【解決手段】情報提供システムは、第１認証情報と、第２認証情報とを取得する取得部であり、第１認証情報は、対応情報を提供することを可能にする情報であり、対応情報は、単独で人にとって意味をなす情報であると共に第１認証情報と対応する情報である、取得部と、取得部によって第１認証情報と第２認証情報とが取得されたことを条件の少なくとも一部として、提供情報又は対応情報の少なくともいずれか一方の編集を第２端末装置２０を介して行うことを可能にする編集部と、を備える。
【選択図】図１【図１】
0006789545.tif 000002
【図２】
0006789545.tif 000003
【図３】
0006789545.tif 000004
【図４】
0006789545.tif 000005
【図５】
0006789545.tif 000006
【図６】
0006789545.tif 000007
【図７】
0006789545.tif 000008
【図８】
0006789545.tif 000009
【図９】
0006789545.tif 000010
【図１０】
0006789545.tif 000011
【図１１】
0006789545.tif 000012
【図１２】
0006789545.tif 000013
【図１３】
0006789545.tif 000014
【図１４】
0006789545.tif 000015
【図１５】
0006789545.tif 000016
【図１６】
0006789545.tif 000017
【図１７】
0006789545.tif 000018
【図１８】
0006789545.tif 000019
【図１９】
0006789545.tif 000020
【図２０】
0006789545.tif 000021
【図２１】
0006789545.tif 000022
【図２２】
0006789545.tif 000023
【図２３】
0006789545.tif 000024
【図２４】
0006789545.tif 000025
【図２５】
0006789545.tif 000026
【図２６】
0006789545.tif 000027
【図２７】
0006789545.tif 000028
【図２８】
0006789545.tif 000029
【図２９】
0006789545.tif 000030
【図３０】
0006789545.tif 000031
【図３１】
0006789545.tif 000032
【図３２】
0006789545.tif 000033
【図３３】
0006789545.tif 000034
【図３４】
0006789545.tif 000035
【図３５】
0006789545.tif 000036
【図３６】
0006789545.tif 000037
【図３７】
0006789545.tif 000038